(57)【要約】  本発明では、端末が狭帯域のモノのインターネット（Ｎａｒｒｏｗ Ｂａｎｄ−Ｉｎｔｅｒｎｅｔ ｏｆ Ｔｈｉｎｇｓ；ＮＢ−ＩｏＴ）を支援する無線通信システムで定義された同期信号を活用して動作する方法及びそれを支援する装置について開示する。【選択図】図２８
2020516125.tif 000002
【特許請求の範囲】
【請求項１】
無線通信システムにおける端末の動作方法において、
新しいＮＰＳＳ（Ｎａｒｒｏｗｂａｎｄ Ｐｒｉｍａｒｙ Ｓｙｎｃｈｒｏｎｉｚａｔｉｏｎ Ｓｉｇｎａｌ）及び新しいＮＳＳＳ（Ｎａｒｒｏｗｂａｎｄ Ｓｅｃｏｎｄａｒｙ Ｓｙｎｃｈｒｏｎｉｚａｔｉｏｎ Ｓｉｇｎａｌ）を受信することと、
前記新しいＮＰＳＳ及び新しいＮＳＳＳのうちの１つ以上が指示する情報に基づいて、セルサーチ、ページング送信及びシステム情報の更新有無に関する情報の獲得、又は前記無線通信システムに適用された複信モード（ｄｕｐｌｅｘ ｍｏｄｅ）情報の獲得のうちの１つ以上を行うことと、を含み、
前記新しいＮＰＳＳは、狭帯域のモノのインターネット（Ｎａｒｒｏｗ Ｂａｎｄ−Ｉｎｔｅｒｎｅｔ ｏｆ Ｔｈｉｎｇｓ；ＮＢ−ＩｏＴ）を支援する無線通信システムで定義されたＮＰＳＳシーケンス対Ｚａｄｏｆｆ−Ｃｈｕシーケンスのルートインデックス及びカバーコードのうちの１つ以上が異なるように適用されて生成され、
前記新しいＮＳＳは、前記ＮＢ−ＩｏＴを支援する無線通信システムで定義されたＮＳＳＳシーケンス対Ｚａｄｏｆｆ−Ｃｈｕシーケンスに適用されたパラメータ、前記Ｚａｄｏｆｆ−Ｃｈｕシーケンスに適用されたバイナリシーケンス、及び、シーケンスのリソースマッピング方法のうちの１つ以上が異なるように適用されて生成される、端末の動作方法。
【請求項２】
前記新しいＮＰＳＳ及び前記新しいＮＳＳＳは、アンカーキャリアにより受信され、
前記新しいＮＰＳＳは、前記ＮＰＳＳが送信されるサブフレームの次のサブフレームで受信され、
前記新しいＮＳＳＳは、前記ＮＳＳＳと１０個のサブフレーム間隔をおいて受信される、請求項１に記載の端末の動作方法。
【請求項３】
前記新しいＮＰＳＳ及び前記新しいＮＳＳＳは、アンカーキャリアにより受信され、
前記新しいＮＰＳＳ及び前記新しいＮＳＳＳは、前記ＮＳＳＳと１０個のサブフレーム間隔をおいて交互に受信される、請求項１に記載の端末の動作方法。
【請求項４】
前記新しいＮＰＳＳ及び前記新しいＮＳＳＳは、非アンカーキャリアにより受信され、
前記新しいＮＰＳＳは、全ての無線フレーム（ｒａｄｉｏ ｆｒａｍｅ）の１番目のサブフレームで受信され、
前記新しいＮＳＳＳは、奇数番目又は偶数番目の無線フレームのうちの１つ以上の無線フレームの５番目のサブフレームで受信される、請求項１に記載の端末の動作方法。
【請求項５】
前記新しいＮＰＳＳ及び前記新しいＮＳＳＳは、非アンカーキャリアにより受信され、
前記新しいＮＰＳＳ及び前記新しいＮＳＳＳは、各無線フレーム（ｒａｄｉｏ ｆｒａｍｅ）の１番目のサブフレームで交互に受信される、請求項１に記載の端末の動作方法。
【請求項６】
前記新しいＮＰＳＳ及び前記新しいＮＳＳＳは、ＮＲＳ（Ｎａｒｒｏｗｂａｎｄ Ｒｅｆｅｒｅｎｃｅ Ｓｉｇｎａｌ）を含まない、請求項１に記載の端末の動作方法。
【請求項７】
前記端末は、前記新しいＮＰＳＳ及び前記新しいＮＳＳＳを累積検出して前記セルサーチを行う、請求項１に記載の端末の動作方法。
【請求項８】
前記新しいＮＰＳＳ及び前記新しいＮＳＳＳがページング送信及びシステム情報の更新有無を指示するために使用される場合、
前記新しいＮＰＳＳがＮ個の連続するサブフレームで繰り返して送信された後、前記新しいＮＳＳＳが、Ｍ個の連続するサブフレームで繰り返して送信され、
前記Ｎ個のサブフレームで繰り返して送信される前記新しいＮＰＳＳは、サブフレーム単位で異なるカバーコードが適用されて送信され、
前記Ｍ個のサブフレームで繰り返して送信される前記新しいＮＳＳＳは、サブフレーム単位で異なるカバーコード及び異なるリソースマッピング方法のうちの１つ以上が適用されて送信され、
前記Ｎは、０以上の整数であり、
前記Ｍは、自然数である、請求項１に記載の端末の動作方法。
【請求項９】
前記新しいＮＰＳＳ及び前記新しいＮＳＳＳがシステム情報が更新されたことを指示する場合、前記端末は、システム情報の更新を行う、請求項１に記載の端末の動作方法。
【請求項１０】
前記端末は、前記新しいＮＰＳＳに適用されたＺａｄｏｆｆ−Ｃｈｕシーケンスのルートインデックスに基づいて前記無線通信システムに適用された複信モードがＴＤＤ（Ｔｉｍｅ Ｄｉｖｉｓｉｏｎ Ｄｕｐｌｅｘ）モード又はＦＤＤ（Ｆｒｅｑｕｅｎｃｙ Ｄｉｖｉｓｉｏｎ Ｄｕｐｌｅｘ）モードであることを決定する、請求項１に記載の端末の動作方法。
【請求項１１】
前記新しいＮＰＳＳに適用されたＺａｄｏｆｆ−Ｃｈｕシーケンスのルートインデックスは、６である、請求項１に記載の端末の動作方法。
【請求項１２】
前記新しいＮＰＳＳに適用されたＺａｄｏｆｆ−Ｃｈｕシーケンスのカバーコードは、［１、１、−１、１、−１、−１、１、−１、１、−１、１］である、請求項１に記載の端末の動作方法。
【請求項１３】
前記新しいＮＳＳＳに対するＺａｄｏｆｆ−Ｃｈｕシーケンスに適用されたパラメータである
2020516125.tif 000065
として、｛３３／２６４、９９／２６４、１６５／２６４、２３１／２６４｝のうちの１つの値が適用される、請求項１に記載の端末の動作方法。
【請求項１４】
前記新しいＮＳＳＳに対するＺａｄｏｆｆ−Ｃｈｕシーケンスに適用されたバイナリシーケンスは、前記ＮＳＳＳに適用される１２８次のアダマール行列（ｈａｄａｍａｒｄ ｍａｔｒｉｘ）の１、３２、６４、１２８列の値の代わりに、１６、４８、８０、１１２列の値が適用されるバイナリシーケンスである、請求項１に記載の端末の動作方法。
【請求項１５】
前記新しいＮＳＳＳに対するシーケンスのリソースマッピング方法は、時間優先のリソースマッピング（ｔｉｍｅ−ｆｉｒｓｔ ｒｅｓｏｕｒｃｅ ｍａｐｐｉｎｇ）方法である、請求項１に記載の端末の動作方法。
【請求項１６】
無線通信システムにおいて基地局から受信された信号に基づいて動作する端末であって、
受信部と、
前記受信部に連結されて動作するプロセッサと、を含み、
前記プロセッサは、
新しいＮＰＳＳ（Ｎａｒｒｏｗｂａｎｄ Ｐｒｉｍａｒｙ Ｓｙｎｃｈｒｏｎｉｚａｔｉｏｎ Ｓｉｇｎａｌ）及び新しいＮＳＳＳ（Ｎａｒｒｏｗｂａｎｄ Ｓｅｃｏｎｄａｒｙ Ｓｙｎｃｈｒｏｎｉｚａｔｉｏｎ Ｓｉｇｎａｌ）を受信し、
前記新しいＮＰＳＳ及び新しいＮＳＳＳのうちの１つ以上が指示する情報に基づいて、セルサーチ、ページング送信及びシステム情報の更新有無に関する情報の獲得、又は前記無線通信システムに適用された複信モード（ｄｕｐｌｅｘ ｍｏｄｅ）情報の獲得のうちの１つ以上を行うように構成され、
前記新しいＮＰＳＳは、狭帯域のモノのインターネット（Ｎａｒｒｏｗ Ｂａｎｄ−Ｉｎｔｅｒｎｅｔ ｏｆ Ｔｈｉｎｇｓ；ＮＢ−ＩｏＴ）を支援する無線通信システムで定義されたＮＰＳＳシーケンス対Ｚａｄｏｆｆ−Ｃｈｕシーケンスのルートインデックス及びカバーコードのうちの１つ以上が異なるように適用されて生成され、
前記新しいＮＳＳは、前記ＮＢ−ＩｏＴを支援する無線通信システムで定義されたＮＳＳＳシーケンス対Ｚａｄｏｆｆ−Ｃｈｕシーケンスに適用されたパラメータ、前記Ｚａｄｏｆｆ−Ｃｈｕシーケンスに適用されたバイナリシーケンス、及びシーケンスのリソースマッピング方法のうちの１つ以上が異なるように適用されて生成される、端末。
【発明の詳細な説明】
【技術分野】
【０００１】
以下の説明は無線通信システムに関し、狭帯域のモノのインターネット（Ｎａｒｒｏｗ Ｂａｎｄ−Ｉｎｔｅｒｎｅｔ ｏｆ Ｔｈｉｎｇｓ；ＮＢ−ＩｏＴ）を支援する無線通信システムにおける端末と基地局の間の信号送受信方法及びそれを支援する装置に関する。
【背景技術】
【０００２】
無線アクセスシステムが音声やデータなどの種々の通信サービスを提供するために広範囲に展開されている。一般に、無線アクセスシステムは利用可能なシステムリソース（帯域幅、送信電力など）を共有して複数のユーザとの通信を支援できる多元接続（ｍｕｌｔｉｐｌｅ ａｃｃｅｓｓ）システムである。多元接続システムの例には、ＣＤＭＡ（ｃｏｄｅ ｄｉｖｉｓｉｏｎ ｍｕｌｔｉｐｌｅ ａｃｃｅｓｓ）システム、ＦＤＭＡ（ｆｒｅｑｕｅｎｃｙ ｄｉｖｉｓｉｏｎ ｍｕｌｔｉｐｌｅ ａｃｃｅｓｓ）システム、ＴＤＭＡ（ｔｉｍｅ ｄｉｖｉｓｉｏｎ ｍｕｌｔｉｐｌｅ ａｃｃｅｓｓ）システム、ＯＦＤＭＡ（ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ）システム、ＳＣ−ＦＤＭＡ（ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ）システムなどがある。
【０００３】
特に、ＩｏＴ（Ｉｎｔｅｒｎｅｔ ｏｆ Ｔｈｉｎｇｓ）通信技術が新しく提案されている。ここで、ＩｏＴは人間相互作用（ｈｕｍａｎ ｉｎｔｅｒａｃｔｉｏｎ）を伴わない通信をいう。このようなＩｏＴ通信技術がセルラー基盤のＬＴＥシステムに収容される案がさらに論議されている。
【０００４】
但し、従来のＬＴＥ（Ｌｏｎｇ Ｔｅｒｍ Ｅｖｏｌｕｔｉｏｎ）システムは、高速のデータ通信を支援することを目的として設計されており、人々に高価な通信方式として認識されている。
【０００５】
しかし、ＩｏＴ通信はその特性上、安価でないと、広く普及することが難しいという特徴がある。
【０００６】
よって、原価節減の一環として帯域幅を縮小する論議が行われている。しかし、このように帯域幅を縮小するためには、時間ドメインにおいてフレーム構造も新しく設計する必要があり、隣の既存のＬＴＥ端末との干渉問題も考える必要がある。
【発明の概要】
【発明が解決しようとする課題】
【０００７】
本発明の目的は、無線通信システムにおいて狭帯域のモノのインターネットで定義された同期信号が変形されて使用される場合、それに対応する端末の具体的な動作方法及びそれを支援する装置を提供することにある。
【０００８】
本発明で遂げようとする技術的目的は、以上で言及した事項に制限されず、言及していない他の技術的課題は、以下に説明する本発明の実施例から、本発明の属する技術の分野における通常の知識を有する者によって考慮されてもよい。
【課題を解決するための手段】
【０００９】
本発明は、無線通信システムにおける端末の動作方法及びそれを具現化する装置を提供する。
【００１０】
本発明の一態様では、無線通信システムにおける端末の動作方法において、新しいＮＰＳＳ（Ｎａｒｒｏｗｂａｎｄ Ｐｒｉｍａｒｙ Ｓｙｎｃｈｒｏｎｉｚａｔｉｏｎ Ｓｉｇｎａｌ）及び新しいＮＳＳＳ（Ｎａｒｒｏｗｂａｎｄ Ｓｅｃｏｎｄａｒｙ Ｓｙｎｃｈｒｏｎｉｚａｔｉｏｎ Ｓｉｇｎａｌ）を受信し、該新しいＮＰＳＳ及び新しいＮＳＳＳのうちの１つ以上が指示する情報に基づいて、セルサーチ、ページング送信及びシステム情報の更新有無に関する情報の獲得、又は無線通信システムに適用された複信モード（ｄｕｐｌｅｘ ｍｏｄｅ）情報の獲得のうちの１つ以上を行う端末の動作方法を提案する。ここで、新しいＮＰＳＳは狭帯域のモノのインターネット（Ｎａｒｒｏｗ Ｂａｎｄ−Ｉｎｔｅｒｎｅｔ ｏｆ Ｔｈｉｎｇｓ；ＮＢ−ＩｏＴ）を支援する無線通信システムで定義されたＮＰＳＳシーケンス対Ｚａｄｏｆｆ−Ｃｈｕシーケンスのルートインデックス及びカバーコードのうちの１つ以上が異なるように適用されて生成され、新しいＮＳＳはＮＢ−ＩｏＴを支援する無線通信システムで定義されたＮＳＳＳシーケンス対Ｚａｄｏｆｆ−Ｃｈｕシーケンスに適用されたパラメータ、Ｚａｄｏｆｆ−Ｃｈｕシーケンスに適用されたバイナリシーケンス、及びシーケンスのリソースマッピング方法のうちの１つ以上が異なるように適用されて生成される。
【００１１】
本発明の他の態様では、無線通信システムにおいて基地局から受信された信号に基づいて動作する端末であって、受信部;及び該受信部に連結されて動作するプロセッサを含み、該プロセッサは、新しいＮＰＳＳ（Ｎａｒｒｏｗｂａｎｄ Ｐｒｉｍａｒｙ Ｓｙｎｃｈｒｏｎｉｚａｔｉｏｎ Ｓｉｇｎａｌ）及び新しいＮＳＳＳ（Ｎａｒｒｏｗｂａｎｄ Ｓｅｃｏｎｄａｒｙ Ｓｙｎｃｈｒｏｎｉｚａｔｉｏｎ Ｓｉｇｎａｌ）を受信し、該新しいＮＰＳＳ及び新しいＮＳＳＳのうちの１つ以上が指示する情報に基づいて、セルサーチ、ページング送信及びシステム情報の更新有無に関する情報の獲得、又は無線通信システムに適用された複信モード（ｄｕｐｌｅｘ ｍｏｄｅ）情報の獲得のうちの１つ以上を行うように構成される端末を提案する。ここで、新しいＮＰＳＳは狭帯域のモノのインターネット（Ｎａｒｒｏｗ Ｂａｎｄ−Ｉｎｔｅｒｎｅｔ ｏｆ Ｔｈｉｎｇｓ；ＮＢ−ＩｏＴ）を支援する無線通信システムで定義されたＮＰＳＳシーケンス対Ｚａｄｏｆｆ−Ｃｈｕシーケンスのルートインデックス及びカバーコードのうちの１つ以上が異なるように適用されて生成され、新しいＮＳＳはＮＢ−ＩｏＴを支援する無線通信システムで定義されたＮＳＳＳシーケンス対Ｚａｄｏｆｆ−Ｃｈｕシーケンスに適用されたパラメータ、Ｚａｄｏｆｆ−Ｃｈｕシーケンスに適用されたバイナリシーケンス、及びシーケンスのリソースマッピング方法のうちの１つ以上が異なるように適用されて生成される。
【００１２】
上記構成において、新しいＮＰＳＳ及び新しいＮＳＳＳはアンカーキャリアにより受信され、新しいＮＰＳＳはＮＰＳＳが送信されるサブフレームの次のサブフレームで受信され、新しいＮＳＳＳはＮＳＳＳと１０個のサブフレーム間隔をおいて受信される。
【００１３】
又は、新しいＮＰＳＳ及び新しいＮＳＳＳはアンカーキャリアにより受信され、新しいＮＰＳＳ及び新しいＮＳＳＳはＮＳＳＳと１０個のサブフレーム間隔をおいて交互に受信される。
【００１４】
又は、新しいＮＰＳＳ及び新しいＮＳＳＳは非アンカーキャリアにより受信され、新しいＮＰＳＳは全ての無線フレーム（ｒａｄｉｏ ｆｒａｍｅ）の１番目のサブフレームで受信され、新しいＮＳＳＳは奇数番目又は偶数番目の無線フレームのうちの１つ以上の無線フレームの５番目のサブフレームで受信される。
【００１５】
又は、新しいＮＰＳＳ及び新しいＮＳＳＳは非アンカーキャリアにより受信され、新しいＮＰＳＳ及び新しいＮＳＳＳは各無線フレーム（ｒａｄｉｏ ｆｒａｍｅ）の１番目のサブフレームで交互に受信される。
【００１６】
上記構成において、新しいＮＰＳＳ及び新しいＮＳＳＳはＮＲＳ（Ｎａｒｒｏｗｂａｎｄ Ｒｅｆｅｒｅｎｃｅ Ｓｉｇｎａｌ）を含まないこともできる。
【００１７】
上記構成において、端末は新しいＮＰＳＳ及び新しいＮＳＳＳを累積検出してセルサーチを行う。
【００１８】
上記構成において、新しいＮＰＳＳ及び新しいＮＳＳＳがページング送信及びシステム情報の更新有無を指示するために使用される場合、新しいＮＰＳＳがＮ個の連続するサブフレームで繰り返して送信された後、新しいＮＳＳＳがＭ個の連続するサブフレームで繰り返して送信され、Ｎ個のサブフレームで繰り返して送信される新しいＮＰＳＳはサブフレーム単位で異なるカバーコードが適用されて送信され、Ｍ個のサブフレームで繰り返して送信される新しいＮＳＳＳはサブフレーム単位で異なるカバーコード及び異なるリソースマッピング方法のうちの１つ以上が適用されて送信される。この時、Ｎは０以上の整数であり、Ｍは自然数である。
【００１９】
この時、新しいＮＰＳＳ及び新しいＮＳＳＳがシステム情報が更新されたことを指示する場合、端末はシステム情報の更新を行うことができる。
【００２０】
又は、端末は新しいＮＰＳＳに適用されたＺａｄｏｆｆ−Ｃｈｕシーケンスのルートインデックスに基づいて無線通信システムに適用された複信モードがＴＤＤ（Ｔｉｍｅ Ｄｉｖｉｓｉｏｎ Ｄｕｐｌｅｘ）モード又はＦＤＤ（Ｆｒｅｑｕｅｎｃｙ Ｄｉｖｉｓｉｏｎ Ｄｕｐｌｅｘ）モードであることを決定できる。
【００２１】
上記構成において、新しいＮＰＳＳにはＺａｄｏｆｆ−Ｃｈｕシーケンスのルートインデックスとして６が適用される。
【００２２】
又は、新しいＮＰＳＳにはＺａｄｏｆｆ−Ｃｈｕシーケンスのカバーコードとして［１、１、−１、１、−１、−１、１、−１、１、−１、１］が適用される。
【００２３】
又は、新しいＮＳＳＳにはＺａｄｏｆｆ−Ｃｈｕシーケンスに適用されたパラメータである
2020516125.tif 000003
として｛３３／２６４、９９／２６４、１６５／２６４、２３１／２６４｝のうちの１つの値が適用される。
【００２４】
又は、新しいＮＳＳＳにはＺａｄｏｆｆ−Ｃｈｕシーケンスに適用されたバイナリシーケンスとしてＮＳＳＳに適用される１２８次のアダマール行列（ｈａｄａｍａｒｄ ｍａｔｒｉｘ）の１、３２、６４、１２８列の値の代わりに、１６、４８、８０、１１２列の値が適用されるバイナリシーケンスが適用される。
【００２５】
又は、新しいＮＳＳＳには時間優先のリソースマッピング（ｔｉｍｅ−ｆｉｒｓｔ ｒｅｓｏｕｒｃｅ ｍａｐｐｉｎｇ）方法のシーケンスマッピング方法が適用される。
【００２６】
上述した本発明の態様は、本発明の好適な実施例の一部に過ぎず、本願発明の技術的特徴が反映された様々な実施例が、当該技術の分野における通常の知識を有する者によって、以下に詳述する本発明の詳細な説明に基づいて導出され、理解されるであろう。
【発明の効果】
【００２７】
本発明の実施例によれば、次のような効果がある。
【００２８】
本発明によれば、従来のＮＰＳＳ及びＮＳＳＳのような構造を有する新しいＮＰＳＳ及び新しいＮＳＳＳにより端末のセルサーチ性能が向上される。また、端末が信号を活用して様々な情報を得るか、又はそれらに基づいて様々な動作を行うことができる。
【００２９】
本発明の実施例から得られる効果は、以上で言及した効果に限定されず、言及していない他の効果は、以下の本発明の実施例に関する記載から、本発明の属する技術の分野における通常の知識を有する者によって明確に導出され理解されるであろう。即ち、本発明を実施することに伴う意図していない効果も、本発明の実施例から当該技術の分野における通常の知識を有する者によって導出され得る。
【図面の簡単な説明】
【００３０】
以下に添付する図面は、本発明に関する理解を助けるためのものであり、詳細な説明と共に本発明に関する実施例を提供する。但し、本発明の技術的特徴が特定の図面に限定されるものではなく、各図面で開示する特徴が互いに組み合わせられて新しい実施例として構成されてもよい。各図面における参照番号（ｒｅｆｅｒｅｎｃｅ ｎｕｍｅｒａｌｓ）は構造的構成要素（ｓｔｒｕｃｔｕｒａｌ ｅｌｅｍｅｎｔｓ）を意味する。
【００３１】
【図１】物理チャネル及びそれらを用いた信号送信方法を説明するための図である。
【図２】無線フレームの構造の一例を示す図である。
【図３】下りリンクスロットに対するリソースグリッド（ｒｅｓｏｕｒｃｅ ｇｒｉｄ）を例示する図である。
【図４】上りリンクサブフレームの構造の一例を示す図である。
【図５】下りリンクサブフレームの構造の一例を示す図である。
【図６】本発明に適用可能なセルフサブフレームの構造（Ｓｅｌｆ−Ｃｏｎｔａｉｎｅｄ ｓｕｂｆｒａｍｅ ｓｔｒｕｃｔｕｒｅ）を示す図である。
【図７】ＴＸＲＵとアンテナエレメントの代表的な連結方式を示す図である。
【図８】ＴＸＲＵとアンテナエレメントの代表的な連結方式を示す図である。
【図９】本発明の一例によるＴＸＲＵ及び物理的アンテナの観点におけるハイブリッドビームフォーミング構造を簡単に示す図である。
【図１０】本発明の一例による下りリンク（Ｄｏｗｎｌｉｎｋ、ＤＬ）の送信過程において、同期信号（Ｓｙｎｃｈｒｏｎｉｚａｔｉｏｎ ｓｉｇｎａｌ）とシステム情報（Ｓｙｓｔｅｍ ｉｎｆｏｒｍａｔｉｏｎ）に対するビームスウィーピング（Ｂｅａｍ ｓｗｅｅｐｉｎｇ）動作を簡単に示す図である。
【図１１】ＬＴＥ帯域幅１０ＭＨｚに対するｉｎ−ｂａｎｄアンカーキャリアの配置を簡単に示す図である。
【図１２】ＦＤＤ ＬＴＥシステムにおいて下りリンク物理チャネル及び下りリンク信号が送信される信号が送信される位置を簡単に示す図である。
【図１３】ｉｎ−ｂａｎｄモードにおいて、ＮＢ−ＩｏＴ信号とＬＴＥ信号のリソース割り当ての例を簡単に示す図である。
【図１４】従来のＮＰＳＳのカバーコードによるＮＰＳＳの自己相関特性を示す図である。
【図１５】本発明によるａＮＰＳＳに対して提案するカバーコードを適用した場合の自己相関特性を示す図である。
【図１６】本発明によるａＮＰＳＳに対して提案するカバーコードを適用した場合の自己相関特性を示す図である。
【図１７】本発明によるａＮＰＳＳに対して提案するカバーコードを適用した場合の自己相関特性を示す図である。
【図１８】従来のＮＳＳＳを使用する場合の相互相関値（Ｌｅｇａｃｙ ＮＢ−ＩｏＴ ｗｉｔｈ ＮＳＳＳ）、θｆ値として３３／２６４、９９／２６４、１６５／２６４、２３１／２６４のうちのいずれか１つの値を適用したａＮＳＳＳを受信した場合、ａＮＳＳＳに適用されたθｆ値による相互相関値（Ｐｒｏｐｏｓｅｄ ＮＢ−ＩｏＴ ｗｉｔｈ ａＮＳＳＳ）及びＮＳＳＳに適用されたθｆ値による相互相関値（Ｐｒｏｐｏｓｅｄ ＮＢ−ＩｏＴ ｗｉｔｈ ＮＳＳＳ）の特性を示す図である。
【図１９】本発明に適用可能なリソースマッピング方法を簡単に示す図である。
【図２０】本発明に適用可能なリソースマッピング方法を簡単に示す図である。
【図２１】本発明に適用可能なリソースマッピング方法を簡単に示す図である。
【図２２】本発明に適用可能なリソースマッピング方法を簡単に示す図である。
【図２３】図１９乃至図２２に示された各リソースマッピング方式によるｌｅｇａｃｙ ＮＢ−ＩｏＴ端末のＮＳＳＳ Ｚａｄｏｆｆ−Ｃｈｕ相互相関特性を示す図である。
【図２４】図１９乃至図２２に示された各リソースマッピング方式によるｌｅｇａｃｙ ＮＢ−ＩｏＴ端末のＮＳＳＳ Ｚａｄｏｆｆ−Ｃｈｕ相互相関特性を示す図である。
【図２５】図１９乃至図２２に示された各リソースマッピング方式によるｌｅｇａｃｙ ＮＢ−ＩｏＴ端末のＮＳＳＳ Ｚａｄｏｆｆ−Ｃｈｕ相互相関特性を示す図である。
【図２６】図１９乃至図２２に示された各リソースマッピング方式によるｌｅｇａｃｙ ＮＢ−ＩｏＴ端末のＮＳＳＳ Ｚａｄｏｆｆ−Ｃｈｕ相互相関特性を示す図である。
【図２７】本発明に適用可能な同期信号の一例を示す図である。
【図２８】本発明による端末の動作を示すフローチャートである。
【図２９】提案する実施例を具現化できる端末及び基地局の構成を示す図である。
【発明を実施するための形態】
【００３２】
以下の実施例は本発明の構成要素と特徴を所定の形態で結合したものである。各構成要素又は特徴は、別の明示的言及がない限り、選択的なものとして考慮することができる。各構成要素又は特徴は別の構成要素や特徴と結合しない形態で実施されてもよく、一部の構成要素及び／又は特徴を結合させて本発明の実施例を構成してもよい。本発明の実施例において説明される動作の順序は変更されてもよい。ある実施例の一部の構成や特徴は他の実施例に含まれてもよく、他の実施例の対応する構成又は特徴に取り替えられてもよい。
【００３３】
図面に関する説明において、本発明の要旨を曖昧にさせ得る手順又は段階などは記述を省略し、当業者のレベルで理解可能な程度の手順又は段階も記述を省略する。
【００３４】
明細書全体を通じて、ある部分がある構成要素を「含む（ｃｏｍｐｒｉｓｉｎｇ又はｉｎｃｌｕｄｉｎｇ）」とされているとき、これは、別に反対の記載がない限り、他の構成要素を除外するものではなく、他の構成要素をさらに含み得ることを意味する。また、明細書でいう“…部”、“…器”、“モジュール”などの用語は、少なくとも１つの機能や動作を処理する単位を意味し、これは、ハードウェア、ソフトウェア、又はハードウェア及びソフトウェアの結合によって具現化することができる。また、「ある（ａ又はａｎ）」、「１つ（ｏｎｅ）」、「その（ｔｈｅ）」及び類似の関連語は、本発明を記述する文脈において（特に、以下の請求項の文脈において）本明細書に別に指示されたり文脈によって明らかに反駁されない限り、単数及び複数の両方を含む意味で使うことができる。
【００３５】
この明細書において本発明の実施例は基地局と移動局との間のデータ送受信関係を中心に説明されている。ここで、基地局は、移動局と通信を直接行うネットワークの終端ノード（ｔｅｒｍｉｎａｌ ｎｏｄｅ）としての意味を有する。本文書において基地局によって行われるとされている特定動作は、場合によっては、基地局の上位ノード（ｕｐｐｅｒ ｎｏｄｅ）によって行われてもよい。
【００３６】
即ち、基地局を含む複数のネットワークノード（ｎｅｔｗｏｒｋ ｎｏｄｅ）からなるネットワークにおいて、移動局との通信のために行われる様々な動作は、基地局、又は基地局以外の他のネットワークノードで行うことができる。このとき、「基地局」は、固定局（ｆｉｘｅｄ ｓｔａｔｉｏｎ）、Ｎｏｄｅ Ｂ、ｅＮｏｄｅ Ｂ（ｅＮＢ）、ｇＮｏｄｅ Ｂ（ｇＮＢ）、発展した基地局（ＡＢＳ：Ａｄｖａｎｃｅｄ Ｂａｓｅ Ｓｔａｔｉｏｎ）又はアクセスポイント（ａｃｃｅｓｓ ｐｏｉｎｔ）などの用語に言い換えることができる。
【００３７】
また、本発明の実施例において、端末（Ｔｅｒｍｉｎａｌ）は、ユーザ機器（ＵＥ：Ｕｓｅｒ Ｅｑｕｉｐｍｅｎｔ）、移動局（ＭＳ：Ｍｏｂｉｌｅ Ｓｔａｔｉｏｎ）、加入者端末（ＳＳ：Ｓｕｂｓｃｒｉｂｅｒ Ｓｔａｔｉｏｎ）、移動加入者端末（ＭＳＳ：Ｍｏｂｉｌｅ Ｓｕｂｓｃｒｉｂｅｒ Ｓｔａｔｉｏｎ）、移動端末（Ｍｏｂｉｌｅ Ｔｅｒｍｉｎａｌ）、又は発展した移動端末（ＡＭＳ：Ａｄｖａｎｃｅｄ Ｍｏｂｉｌｅ Ｓｔａｔｉｏｎ）などの用語に言い換えることができる。
【００３８】
また、送信端はデータサービス又は音声サービスを提供する固定及び／又は移動ノードを意味し、受信端はデータサービス又は音声サービスを受信する固定及び／又は移動ノードを意味する。したがって、上りリンクでは移動局を送信端にし、基地局を受信端にすることができる。同様に、下りリンクでは移動局を受信端にし、基地局を送信端にすることができる。
【００３９】
本発明の実施例は、無線アクセスシステムであるＩＥＥＥ ８０２．ｘｘシステム、３ＧＰＰ（３ｒｄ Ｇｅｎｅｒａｔｉｏｎ Ｐａｒｔｎｅｒｓｈｉｐ Ｐｒｏｊｅｃｔ）システム、３ＧＰＰ ＬＴＥシステム及び３ＧＰＰ ５Ｇ ＮＲシステム及び３ＧＰＰ２システムのうち少なくとも１つに開示されている標準文書によってサポートすることができ、特に、本発明の実施例は、３ＧＰＰ ＴＳ ３６．２１１、３ＧＰＰ ＴＳ ３６．２１２、３ＧＰＰ ＴＳ ３６．２１３、３ＧＰＰ ＴＳ ３６．３２１、３ＧＰＰ ＴＳ ３６．３３１、３ＧＰＰ ＴＳ ３８．２１１、３ＧＰＰ ＴＳ ３８．２１２、３ＧＰＰ ＴＳ ３８．２１３、３ＧＰＰ ＴＳ ３８．３２１及び３ＧＰＰ ＴＳ ３８．３３１の文書によってサポートすることができる。即ち、本発明の実施例のうち、説明していない自明な段階又は部分は、上記文書を参照して説明することができる。また、本文書に開示している用語はいずれも、上記標準文書によって説明することができる。
【００４０】
以下、本発明に係る好適な実施形態を添付の図面を参照して詳しく説明する。添付の図面と共に以下に開示する詳細な説明は、本発明の例示的な実施形態を説明するためのもので、本発明が実施され得る唯一の実施形態を表すことを意図するものではない。
【００４１】
また、本発明の実施例で使われる特定の用語は本発明の理解し易さのために提供されるものであり、このような特定の用語の使用は本発明の技術的思想を逸脱しない範囲で他の形態に変更されてもよい。
【００４２】
例えば、送信機会区間（ＴｘＯＰ：Ｔｒａｎｓｍｉｓｓｉｏｎ Ｏｐｐｏｒｔｕｎｉｔｙ Ｐｅｒｉｏｄ）という用語は、送信区間、送信バースト（Ｔｘ ｂｕｒｓｔ）又はＲＲＰ（Ｒｅｓｅｒｖｅｄ Ｒｅｓｏｕｒｃｅ Ｐｅｒｉｏｄ）という用語と同じ意味で使うことができる。また、ＬＢＴ（Ｌｉｓｔｅｎ Ｂｅｆｏｒｅ Ｔａｌｋ）過程は、チャネル状態が遊休であるか否かを判断するためのキャリアセンシング過程、ＣＣＡ（Ｃｌｅａｒ Ｃｈａｎｎｅｌ Ａｃｃｅｓｓｍｅｎｔ）、チャネルアクセス過程（ＣＡＰ：Ｃｈａｎｎｅｌ Ａｃｃｅｓｓ Ｐｒｏｃｅｄｕｒｅ）と同じ目的で行うことができる。
【００４３】
以下、本発明の実施例を利用可能な無線アクセスシステムの一例として３ＧＰＰ ＬＴＥ／ＬＴＥ−Ａシステムについて説明する。
【００４４】
以下の技術は、ＣＤＭＡ（ｃｏｄｅ ｄｉｖｉｓｉｏｎ ｍｕｌｔｉｐｌｅ ａｃｃｅｓｓ）、ＦＤＭＡ（ｆｒｅｑｕｅｎｃｙ ｄｉｖｉｓｉｏｎ ｍｕｌｔｉｐｌｅ ａｃｃｅｓｓ）、ＴＤＭＡ（ｔｉｍｅ ｄｉｖｉｓｉｏｎ ｍｕｌｔｉｐｌｅ ａｃｃｅｓｓ）、ＯＦＤＭＡ（ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ）、ＳＣ−ＦＤＭＡ（ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ）などのような様々な無線アクセスシステムに適用することができる。
【００４５】
ＣＤＭＡは、ＵＴＲＡ（Ｕｎｉｖｅｒｓａｌ Ｔｅｒｒｅｓｔｒｉａｌ Ｒａｄｉｏ Ａｃｃｅｓｓ）やＣＤＭＡ２０００のような無線技術（ｒａｄｉｏ ｔｅｃｈｎｏｌｏｇｙ）によって具現化することができる。ＴＤＭＡは、ＧＳＭ（Ｇｌｏｂａｌ Ｓｙｓｔｅｍ ｆｏｒ Ｍｏｂｉｌｅ ｃｏｍｍｕｎｉｃａｔｉｏｎｓ）／ＧＰＲＳ（Ｇｅｎｅｒａｌ Ｐａｃｋｅｔ Ｒａｄｉｏ Ｓｅｒｖｉｃｅ）／ＥＤＧＥ（Ｅｎｈａｎｃｅｄ Ｄａｔａ Ｒａｔｅｓ ｆｏｒ ＧＳＭ Ｅｖｏｌｕｔｉｏｎ）のような無線技術によって具現化することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ ＵＴＲＡ）などのような無線技術によって具現化することができる。
【００４６】
ＵＴＲＡはＵＭＴＳ（Ｕｎｉｖｅｒｓａｌ Ｍｏｂｉｌｅ Ｔｅｌｅｃｏｍｍｕｎｉｃａｔｉｏｎｓ Ｓｙｓｔｅｍ）の一部である。３ＧＰＰ ＬＴＥ（Ｌｏｎｇ Ｔｅｒｍ Ｅｖｏｌｕｔｉｏｎ）はＥ−ＵＴＲＡを用いるＥ−ＵＭＴＳ（Ｅｖｏｌｖｅｄ ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）システムは３ＧＰＰ ＬＴＥシステムを改良したシステムである。本発明の技術的特徴に関する説明を明確にするために、本発明の実施例は３ＧＰＰ ＬＴＥ／ＬＴＥ−Ａシステムを中心に述べられるが、ＩＥＥＥ ８０２．１６ｅ／ｍシステムなどに適用されてもよい。
【００４７】
１．３ＧＰＰ ＬＴＥ／ＬＴＥ Ａ システム
【００４８】
１．１．物理チャネル及びこれを用いた信号送受信方法
【００４９】
無線アクセスシステムにおいて端末は下りリンク（ＤＬ：Ｄｏｗｎｌｉｎｋ）で基地局から情報を受信し、上りリンク（ＵＬ：Ｕｐｌｉｎｋ）で基地局に情報を送信する。基地局と端末とが送受信する情報は一般データ情報及び種々の制御情報を含み、基地局と端末とが送受信する情報の種類／用途によって様々な物理チャネルが存在する。
【００５０】
図１は、本発明の実施例で使用可能な物理チャネル及びそれらを用いた信号送信方法を説明するための図である。
【００５１】
電源が消えた状態で電源がついたり、新しくセルに進入したりした端末は、Ｓ１１段階で、基地局と同期を取るなどの初期セルサーチ（Ｉｎｉｔｉａｌ ｃｅｌｌ ｓｅａｒｃｈ）作業を行う。そのために、端末は基地局から主同期チャネル（Ｐ−ＳＣＨ：Ｐｒｉｍａｒｙ Ｓｙｎｃｈｒｏｎｉｚａｔｉｏｎ Ｃｈａｎｎｅｌ）及び副同期チャネル（Ｓ−ＳＣＨ：Ｓｅｃｏｎｄａｒｙ Ｓｙｎｃｈｒｏｎｉｚａｔｉｏｎ Ｃｈａｎｎｅｌ）を受信して基地局と同期を取り、セルＩＤなどの情報を取得する。
【００５２】
その後、端末は基地局から物理放送チャネル（ＰＢＣＨ：Ｐｈｙｓｉｃａｌ Ｂｒｏａｄｃａｓｔ  Ｃｈａｎｎｅｌ）信号を受信してセル内放送情報を取得することができる。
【００５３】
一方、端末は初期セルサーチ段階で下りリンク参照信号（ＤＬ ＲＳ：Ｄｏｗｎｌｉｎｋ Ｒｅｆｅｒｅｎｃｅ Ｓｉｇｎａｌ）を受信して下りリンクチャネル状態を確認することができる。
【００５４】
初期セルサーチを終えた端末は、Ｓ１２段階で、物理下りリンク制御チャネル（ＰＤＣＣＨ：Ｐｈｙｓｉｃａｌ Ｄｏｗｎｌｉｎｋ Ｃｏｎｔｒｏｌ Ｃｈａｎｎｅｌ）、及び物理下りリンク制御チャネル情報に対応する物理下りリンク共有チャネル（ＰＤＳＣＨ：Ｐｈｙｓｉｃａｌ Ｄｏｗｎｌｉｎｋ Ｃｏｎｔｒｏｌ Ｃｈａｎｎｅｌ）を受信して、より具体的なシステム情報を取得することができる。
【００５５】
その後、端末は基地局への接続を完了するために、段階Ｓ１３〜段階Ｓ１６のようなランダムアクセス過程（Ｒａｎｄｏｍ Ａｃｃｅｓｓ Ｐｒｏｃｅｄｕｒｅ）を行うことができる。そのために、端末は物理ランダムアクセスチャネル（ＰＲＡＣＨ：Ｐｈｙｓｉｃａｌ Ｒａｎｄｏｍ Ａｃｃｅｓｓ Ｃｈａｎｎｅｌ）でプリアンブル（ｐｒｅａｍｂｌｅ）を送信し（Ｓ１３）、物理下りリンク制御チャネル及びそれに対応する物理下りリンク共有チャネルでプリアンブルに対する応答メッセージを受信することができる（Ｓ１４）。競合ベースのランダムアクセスでは、端末は、更なる物理ランダムアクセスチャネル信号の送信（Ｓ１５）、及び物理下りリンク制御チャネル信号及びそれに対応する物理下りリンク共有チャネル信号の受信（Ｓ１６）のような競合解決手順（Ｃｏｎｔｅｎｔｉｏｎ Ｒｅｓｏｌｕｔｉｏｎ Ｐｒｏｃｅｄｕｒｅ）を行うことができる。
【００５６】
上述したような手順を行った端末は、その後、一般的な上りリンク／下りリンク信号送信手順として、物理下りリンク制御チャネル信号及び／又は物理下りリンク共有チャネル信号の受信（Ｓ１７）、及び物理上りリンク共有チャネル（ＰＵＳＣＨ：Ｐｈｙｓｉｃａｌ Ｕｐｌｉｎｋ Ｓｈａｒｅｄ Ｃｈａｎｎｅｌ）信号及び／又は物理上りリンク制御チャネル（ＰＵＣＣＨ：Ｐｈｙｓｉｃａｌ Ｕｐｌｉｎｋ Ｃｏｎｔｒｏｌ Ｃｈａｎｎｅｌ）信号の送信（Ｓ１８）を行うことができる。
【００５７】
端末が基地局に送信する制御情報を総称して上りリンク制御情報（ＵＣＩ：Ｕｐｌｉｎｋ Ｃｏｎｔｒｏｌ Ｉｎｆｏｒｍａｔｉｏｎ）という。ＵＣＩは、ＨＡＲＱ−ＡＣＫ／ＮＡＣＫ（Ｈｙｂｒｉｄ Ａｕｔｏｍａｔｉｃ Ｒｅｐｅａｔ ａｎｄ ｒｅＱｕｅｓｔ Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ Ｒｅｑｕｅｓｔ）、ＣＱＩ（Ｃｈａｎｎｅｌ Ｑｕａｌｉｔｙ Ｉｎｄｉｃａｔｉｏｎ）、ＰＭＩ（Ｐｒｅｃｏｄｉｎｇ Ｍａｔｒｉｘ Ｉｎｄｉｃａｔｉｏｎ）、ＲＩ（Ｒａｎｋ Ｉｎｄｉｃａｔｉｏｎ）情報などを含む。
【００５８】
ＬＴＥシステムにおいてＵＣＩは一般的にＰＵＣＣＨで周期的に送信されるが、制御情報とトラフィックデータが同時に送信されるべき場合にはＰＵＳＣＨで送信されてもよい。また、ネットワークの要求／指示によってＰＵＳＣＨでＵＣＩを非周期的に送信することもできる。
【００５９】
１．２．リソースの構造
【００６０】
図２は、本発明の実施例で用いられる無線フレームの構造を示す図である。
【００６１】
図２（ａ）はタイプ１フレーム構造（ｆｒａｍｅ ｓｔｒｕｃｔｕｒｅ ｔｙｐｅ １）を示す。タイプ１フレーム構造は、全二重（ｆｕｌｌ ｄｕｐｌｅｘ）ＦＤＤ（Ｆｒｅｑｕｅｎｃｙ Ｄｉｖｉｓｉｏｎ Ｄｕｐｌｅｘ）システムにも半二重（ｈａｌｆ ｄｕｐｌｅｘ）ＦＤＤシステムにも適用可能である。
【００６２】
１無線フレーム（ｒａｄｉｏ ｆｒａｍｅ）はＴｆ＝３０７２００＊Ｔｓ＝１０ｍｓの長さを有するものであり、Ｔｓｌｏｔ＝１５３６０＊Ｔｓ＝０．５ｍｓの均等な長さを有し、０〜１９のインデックスが与えられた２０個のスロットで構成される。１サブフレームは２個の連続したスロットで定義され、ｉ番目のサブフレームは、２ｉと２ｉ＋１に該当するスロットで構成される。すなわち、無線フレーム（ｒａｄｉｏ ｆｒａｍｅ）は１０個のサブフレーム（ｓｕｂｆｒａｍｅ）で構成される。１サブフレームを送信するためにかかる時間をＴＴＩ（ｔｒａｎｓｍｉｓｓｉｏｎ ｔｉｍｅ ｉｎｔｅｒｖａｌ）という。ここで、Ｔｓはサンプリング時間を表し、Ｔｓ＝１／（１５ｋＨｚ×２０４８）＝３．２５５２×１０−８（約３３ｎｓ）と表示される。スロットは時間領域において複数のＯＦＤＭシンボル又はＳＣ−ＦＤＭＡシンボルを含み、周波数領域において複数のリソースブロック（Ｒｅｓｏｕｒｃｅ Ｂｌｏｃｋ）を含む。
【００６３】
１スロットは時間領域において複数のＯＦＤＭ（ｏｒｔｈｏｇｏｎａｌ ｆｒｅｑｕｅｎｃｙ ｄｉｖｉｓｉｏｎ ｍｕｌｔｉｐｌｅｘｉｎｇ）シンボルを含む。３ＧＰＰ ＬＴＥは下りリンクにおいてＯＦＤＭＡを用いるので、ＯＦＤＭシンボルは１シンボル区間（ｓｙｍｂｏｌ ｐｅｒｉｏｄ）を表現するためのものである。ＯＦＤＭシンボルは１つのＳＣ−ＦＤＭＡシンボル又はシンボル区間ということができる。リソースブロック（ｒｅｓｏｕｒｃｅ ｂｌｏｃｋ）はリソース割り当て単位であり、１つのスロットで複数の連続した副搬送波（ｓｕｂｃａｒｒｉｅｒ）を含む。
【００６４】
全二重ＦＤＤシステムでは各１０ｍｓの区間において１０個のサブフレームを下りリンク送信と上りリンク送信のために同時に利用することができる。このとき、上りリンクと下りリンク送信は周波数領域において分離される。これに対し、半二重ＦＤＤシステムでは端末が送信と受信を同時に行うことができない。
【００６５】
上述した無線フレームの構造は１つの例示に過ぎず、無線フレームに含まれるサブフレームの数、サブフレームに含まれるスロットの数、又はスロットに含まれるＯＦＤＭシンボルの数は様々に変更されてもよい。
【００６６】
図２（ｂ）はタイプ２フレーム構造（ｆｒａｍｅ ｓｔｒｕｃｔｕｒｅ ｔｙｐｅ ２）を示す。タイプ２フレーム構造はＴＤＤシステムに適用される。１無線フレーム（ｒａｄｉｏ ｆｒａｍｅ）はＴｆ＝３０７２００＊Ｔｓ＝１０ｍｓの長さを有し、１５３６００＊Ｔｓ＝５ｍｓの長さを有する２個のハーフフレーム（ｈａｌｆ−ｆｒａｍｅ）で構成される。各ハーフフレームは３０７２０＊Ｔｓ＝１ｍｓの長さを有する５個のサブフレームで構成される。ｉ番目のサブフレームは２ｉと２ｉ＋１に該当する各Ｔｓｌｏｔ＝１５３６０＊Ｔｓ＝０．５ｍｓの長さを有する２個のスロットで構成される。ここで、Ｔｓはサンプリング時間を表し、Ｔｓ＝１／（１５ｋＨｚ×２０４８）＝３．２５５２×１０−８（約３３ｎｓ）と表示される。
【００６７】
タイプ２フレームはＤｗＰＴＳ（Ｄｏｗｎｌｉｎｋ Ｐｉｌｏｔ Ｔｉｍｅ Ｓｌｏｔ）、ガード区間（ＧＰ：Ｇｕａｒｄ Ｐｅｒｉｏｄ）、ＵｐＰＴＳ（Ｕｐｌｉｎｋ Ｐｉｌｏｔ Ｔｉｍｅ Ｓｌｏｔ）の３つのフィールドで構成される特別サブフレームを含む。ここで、ＤｗＰＴＳは、端末における初期セルサーチ、同期化又はチャネル推定に用いられる。ＵｐＰＴＳは、基地局におけるチャネル推定と端末の上り伝送の同期化に用いられる。ガード区間は、上りリンクと下りリンクとの間に下りリンク信号の多重経路遅延によって上りリンクにおいて干渉を除去するための区間である。
【００６８】
次の表１は、特別フレームの構成（ＤｗＰＴＳ／ＧＰ／ＵｐＰＴＳの長さ）を表す。
【００６９】
【表１】
2020516125.tif 000004
【００７０】
またＬＴＥ Ｒｅｌ−１３システムにおいては、特別フレームの構成（ＤｗＰＴＳ／ＧＰ／ＵｐＰＴＳの長さ）が下記の表のようにＸ（追加的なＳＣ−ＦＤＭＡのシンボルの数、上位層パラメータｓｒｓ−ＵｐＰｔｓＡｄｄにより提供され、パラメータが設定されないと、Ｘは０である）を考慮して設定される構成が新しく追加されており、ＬＴＥ Ｒｅｌ−１４システムにおいては、Ｓｐｅｃｉａｌ ｓｕｂｆｒａｍｅ ｃｏｎｆｉｇｕｒａｔｉｏｎ＃１０が新しく追加されている。ここで、ＵＥは、下りリンクにおける一般ＣＰのためのＳｐｅｃｉａｌ ｓｕｂｆｒａｍｅ ｃｏｎｆｉｇｕｒａｔｉｏｎｓ｛３，４，７，８｝及び下りリンクにおける拡張されたＣＰのためのＳｐｅｃｉａｌ ｓｕｂｆｒａｍｅ ｃｏｎｆｉｇｕｒａｔｉｏｎｓ｛２，３，５，６｝に対して２つの追加ＵｐＰＴＳ ＳＣ−ＦＤＭＡシンボルが設定されることを期待しない。さらに、ＵＥは、下りリンクにおける一般ＣＰのためのＳｐｅｃｉａｌ ｓｕｂｆｒａｍｅ ｃｏｎｆｉｇｕｒａｔｉｏｎｓ｛１，２，３，４，６，７，８｝及び下りリンクにおける拡張されたＣＰのためのＳｐｅｃｉａｌ ｓｕｂｆｒａｍｅ ｃｏｎｆｉｇｕｒａｔｉｏｎｓ｛１，２，３，５，６｝に対して４つの追加ＵｐＰＴＳ ＳＣ−ＦＤＭＡシンボルが設定されることを期待しない。（Ｔｈｅ ＵＥ ｉｓ ｎｏｔ ｅｘｐｅｃｔｅｄ ｔｏ ｂｅ ｃｏｎｆｉｇｕｒｅｄ ｗｉｔｈ ２ ａｄｄｉｔｉｏｎａｌ ＵｐＰＴＳ ＳＣ−ＦＤＭＡ ｓｙｍｂｏｌｓ ｆｏｒ ｓｐｅｃｉａｌ ｓｕｂｆｒａｍｅ ｃｏｎｆｉｇｕｒａｔｉｏｎｓ｛３，４，７，８｝ ｆｏｒ ｎｏｒｍａｌ ｃｙｃｌｉｃ ｐｒｅｆｉｘ ｉｎ ｄｏｗｎｌｉｎｋ ａｎｄ ｓｐｅｃｉａｌ ｓｕｂｆｒａｍｅ ｃｏｎｆｉｇｕｒａｔｉｏｎｓ｛２，３，５，６｝ ｆｏｒ ｅｘｔｅｎｄｅｄ ｃｙｃｌｉｃ ｐｒｅｆｉｘ ｉｎ ｄｏｗｎｌｉｎｋ ａｎｄ ４ ａｄｄｉｔｉｏｎａｌ ＵｐＰＴＳ ＳＣ−ＦＤＭＡ ｓｙｍｂｏｌｓ ｆｏｒ ｓｐｅｃｉａｌ ｓｕｂｆｒａｍｅ ｃｏｎｆｉｇｕｒａｔｉｏｎｓ｛１，２，３，４，６，７，８｝ ｆｏｒ ｎｏｒｍａｌ ｃｙｃｌｉｃ ｐｒｅｆｉｘ ｉｎ ｄｏｗｎｌｉｎｋ ａｎｄ ｓｐｅｃｉａｌ ｓｕｂｆｒａｍｅ ｃｏｎｆｉｇｕｒａｔｉｏｎｓ｛１，２，３，５，６｝ ｆｏｒ ｅｘｔｅｎｄｅｄ ｃｙｃｌｉｃ ｐｒｅｆｉｘ ｉｎ ｄｏｗｎｌｉｎｋ）
【００７１】
【表２】
2020516125.tif 000005
【００７２】
図３は、本発明の実施例で利用可能な下りリンクスロットに対するリソースグリッド（ｒｅｓｏｕｒｃｅ ｇｒｉｄ）を例示する図である。
【００７３】
図３を参照すると、１つの下りリンクスロットは時間領域において複数のＯＦＤＭシンボルを含む。ここで、１つの下りリンクスロットは７個のＯＦＤＭシンボルを含み、１つのリソースブロックは周波数領域において１２個の副搬送波を含むとしているが、これに限定されるものではない。
【００７４】
リソースグリッド上で各要素をリソース要素といい、１つのリソースブロックは１２×７個のリソース要素を含む。下りリンクスロットに含まれるリソースブロックの数ＮＤＬは、下りリンク送信帯域幅（ｂａｎｄｗｉｄｔｈ）に従属する。
【００７５】
図４には、本発明の実施例で利用可能な上りリンクサブフレームの構造を示す。
【００７６】
図４を参照すると、上りリンクサブフレームは、周波数領域において制御領域とデータ領域とに分けることができる。制御領域には、上りリンク制御情報を搬送するＰＵＣＣＨが割り当てられる。データ領域には、ユーザデータを搬送するＰＵＳＣＨが割り当てられる。単一搬送波特性を維持するために１つの端末はＰＵＣＣＨとＰＵＳＣＨを同時に送信しない。１つの端末に対するＰＵＣＣＨにはサブフレーム内にＲＢ対が割り当てられる。ＲＢ対に属するＲＢは２個のスロットのそれぞれにおいて異なる副搬送波を占める。このようなＰＵＣＣＨに割り当てられたＲＢ対は、スロット境界（ｓｌｏｔ ｂｏｕｎｄａｒｙ）で周波数ホッピング（ｆｒｅｑｕｅｎｃｙ ｈｏｐｐｉｎｇ）する、という。
【００７７】
図５は、本発明の実施例で利用可能な下りリンクサブフレームの構造を示す図である。
【００７８】
図５を参照すると、サブフレームにおける一番目のスロットにおいてＯＦＤＭシンボルインデックス０から最大で３個までのＯＦＤＭシンボルが、制御チャネルが割り当てられる制御領域（ｃｏｎｔｒｏｌ ｒｅｇｉｏｎ）であり、残りのＯＦＤＭシンボルは、ＰＤＳＣＨが割り当てられるデータ領域（ｄａｔａ ｒｅｇｉｏｎ）である。３ＧＰＰ ＬＴＥで用いられる下りリンク制御チャネルの例に、ＰＣＦＩＣＨ（Ｐｈｙｓｉｃａｌ Ｃｏｎｔｒｏｌ Ｆｏｒｍａｔ Ｉｎｄｉｃａｔｏｒ Ｃｈａｎｎｅｌ）、ＰＤＣＣＨ、ＰＨＩＣＨ（Ｐｈｙｓｉｃａｌ Ｈｙｂｒｉｄ−ＡＲＱ  Ｉｎｄｉｃａｔｏｒ Ｃｈａｎｎｅｌ）などがある。
【００７９】
ＰＣＦＩＣＨはサブフレームの一番目のＯＦＤＭシンボルで送信され、サブフレームにおいて制御チャネルの送信のために用いられるＯＦＤＭシンボルの数（すなわち、制御領域のサイズ）に関する情報を搬送する。ＰＨＩＣＨは、上りリンクに対する応答チャネルであり、ＨＡＲＱ（Ｈｙｂｒｉｄ Ａｕｔｏｍａｔｉｃ Ｒｅｐｅａｔ Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）信号を搬送する。ＰＤＣＣＨで送信される制御情報を下りリンク制御情報（ＤＣＩ：ｄｏｗｎｌｉｎｋ ｃｏｎｔｒｏｌ ｉｎｆｏｒｍａｔｉｏｎ）という。下りリンク制御情報は、上りリンクリソース割り当て情報、下りリンクリソース割り当て情報、又は任意の端末グループに対する上りリンク送信（Ｔｘ）電力制御命令を含む。
【００８０】
２．新しい無線アクセス技術（Ｎｅｗ Ｒａｄｉｏ Ａｃｃｅｓｓ Ｔｅｃｈｎｏｌｏｇｙ）システム
【００８１】
多数の通信機器がより大きな通信容量を要求することにより、既存の無線アクセス技術（ｒａｄｉｏ ａｃｃｅｓｓ ｔｅｃｈｎｏｌｏｇｙ、ＲＡＴ）に比べて向上した端末広帯域（Ｍｏｂｉｌｅ Ｂｒｏａｄｂａｎｄ）通信の必要性が高まっている。また多数の機器及び物を連結していつでもどこでも多様なサービスを提供する大規模（ｍａｓｓｉｖｅ）ＭＴＣ（Ｍａｃｈｉｎｅ Ｔｙｐｅ Ｃｏｍｍｕｎｉｃａｔｉｏｎｓ）も必要となっている。さらに信頼性及び遅延などに敏感なサービス／ＵＥを考慮した通信システムのデザインが提示されている。
【００８２】
このように向上した端末広帯域通信（Ｅｎｈａｎｃｅｄ ｍｏｂｉｌｅ ｂｒｏａｄｂａｎｄ ｃｏｍｍｕｎｉｃａｔｉｏｎ）、大規模ＭＴＣ、ＵＲＬＬＣ（Ｕｌｔｒａ−Ｒｅｌｉａｌｂｅ ａｎｄ Ｌｏｗ Ｌａｔｅｎｃｙ Ｃｏｍｍｕｎｉｃａｔｉｏｎ）などを考慮した新しい無線アクセス技術であって、新しい無線アクセス技術システムが提案されている。以下、本発明では便宜上、該当技術をＮｅｗ ＲＡＴ又はＮＲ（Ｎｅｗ Ｒａｄｉｏ）と称する。
【００８３】
２．１．ニューマロロジー（Ｎｕｍｅｒｉｏｌｏｇｉｅｓ）
【００８４】
本発明が適用可能なＮＲシステムにおいては、以下の表のような様々なＯＦＤＭニューマロロジーが支援されている。この時、搬送波帯域幅部分（ｃａｒｒｉｅｒ ｂａｎｄｗｉｄｔｈ ｐａｒｔ）ごとのμ及びサイクリックプレフィックス（ｃｙｃｌｉｃ ｐｒｅｆｉｘ）情報は、下りリンク（ＤＬ）又は上りリンク（ＵＬ）ごとに各々シグナリングされる。一例として、下りリンク搬送波帯域幅部分（ｄｏｗｎｌｉｎｋ ｃａｒｒｉｅｒ ｂａｎｄｗｉｄｔｈ ｐａｒｔ）のためのμ及びサイクリックプレフィックス（ｃｙｃｌｉｃ ｐｒｅｆｉｘ）情報は、上位層シグナリングＤＬ−ＢＷＰ−ｍｕ及びＤＬ−ＭＷＰ−ｃｐを通じてシグナリングされる。他の例として、上りリンク搬送波帯域幅部分（ｕｐｌｉｎｋ ｃａｒｒｉｅｒ ｂａｎｄｗｉｄｔｈ ｐａｒｔ）のためのμ及びサイクリックプレフィックス（ｃｙｃｌｉｃ ｐｒｅｆｉｘ）情報は、上位層シグナリングＵＬ−ＢＷＰ−ｍｕ及びＵＬ−ＭＷＰ−ｃｐを通じてシグナリングされる。
【００８５】
【表３】
2020516125.tif 000006
【００８６】
２．２．フレーム構造
【００８７】
下りリンク及び上りリンクの伝送は１０ｍｓの長さのフレームで構成される。フレームは１ｍｓの長さの１０個のサブフレームで構成される。この時、各々のサブフレームごとに連続するＯＦＤＭのシンボルの数は
2020516125.tif 000007
である。
【００８８】
各々のフレームは２つの同じサイズのハーフフレーム（ｈａｌｆ−ｆｒａｍｅ）で構成される。この時、各々のハーフフレームはサブフレーム０−４及びサブフレーム５−９で構成される。
【００８９】
副搬送波間隔（ｓｕｂｃａｒｒｉｅｒ ｓｐａｃｉｎｇ）μに対して、スロットは１つのサブフレーム内において昇順に
2020516125.tif 000008
のようにナンバリングされ、１つのフレーム内において昇順に
2020516125.tif 000009
のようにナンバリングされる。この時、１つのスロット内に連続するＯＦＤＭのシンボルの数
2020516125.tif 000010
は、サイクリックプレフィックスによって以下の表のように決定される。１つのサブフレーム内の開始スロット
2020516125.tif 000011
は、同じサブフレーム内の開始ＯＦＤＭのシンボル
2020516125.tif 000012
と時間の次元で整列されている（ａｌｉｇｎｅｄ）。以下の表３は一般サイクリックプレフィックス（ｎｏｒｍａｌ ｃｙｃｌｉｃ ｐｒｅｆｉｘ）のためのスロットごと／フレームごと／サブフレームごとのＯＦＤＭのシンボルの数を示し、表４は拡張されたサイクリックプレフィックス（ｅｘｔｅｎｄｅｄ ｃｙｃｌｉｃ ｐｒｅｆｉｘ）のためのスロットごと／フレームごと／サブフレームごとのＯＦＤＭのシンボルの数を示す。
【００９０】
【表４】
2020516125.tif 000013
【００９１】
【表５】
2020516125.tif 000014
【００９２】
本発明が適用可能なＮＲシステムにおいては、上記のようなスロット構造であって、セルフスロット構造（Ｓｅｌｆ−Ｃｏｎｔａｉｎｅｄ ｓｕｂｆｒａｍｅ ｓｔｒｕｃｔｕｒｅ）が適用されている。
【００９３】
図６は本発明に適用可能なセルフサブフレーム構造（Ｓｅｌｆ−Ｃｏｎｔａｉｎｅｄ ｓｕｂｆｒａｍｅ ｓｔｒｕｃｔｕｒｅ）を示す図である。
【００９４】
図６において、斜線領域（例えば、ｓｙｍｂｏｌ ｉｎｄｅｘ＝０）は下りリンク制御（ｄｏｗｎｌｉｎｋ ｃｏｎｔｒｏｌ）領域を示し、黒色領域（例えば、ｓｙｍｂｏｌ ｉｎｄｅｘ＝１３）は上りリンク制御（ｕｐｌｉｎｋ ｃｏｎｔｒｏｌ）領域を示す。その他の領域（例えば、ｓｙｍｂｏｌ ｉｎｄｅｘ＝１〜１２）は下りリンクデータ伝送又は上りリンクデータ伝送のために使用される。
【００９５】
このような構造により基地局及びＵＥは１つのスロット内でＤＬ伝送とＵＬ伝送を順次に行うことができ、１つのスロット内でＤＬデータを送受信し、これに対するＵＬ ＡＣＫ／ＮＡＣＫも送受信することができる。結果として、この構造はデータ伝送エラーの発生時にデータの再伝送までにかかる時間を短縮させることにより、最終データ伝達の遅延を最小化することができる。
【００９６】
このようなセルフスロット構造においては、基地局とＵＥが送信モードから受信モードに、又は受信モードから送信モードに転換するために一定の時間長のタイムギャップ（ｔｉｍｅ  ｇａｐ）が必要である。このために、セルフスロット構造においてＤＬからＵＬに転換される時点の一部のＯＦＤＭシンボルは、ガード区間（ｇｕａｒｄ ｐｅｒｉｏｄ、ＧＰ）として設定されることができる。
【００９７】
以上ではセルフスロット構造がＤＬ制御領域及びＵＬ制御領域を全て含む場合を説明したが、制御領域はセルフスロット構造に選択的に含まれることができる。即ち、本発明によるセルフスロット構造は、図６に示したように、ＤＬ制御領域及びＵＬ制御領域を全て含む場合だけではなく、ＤＬ制御領域又はＵＬ制御領域のみを含む場合もある。
【００９８】
一例として、スロットは様々なスロットフォーマットを有することができる。この時、各々のスロットのＯＦＤＭシンボルは、下りリンク（‘Ｄ’と表す）、フレキシブル（‘Ｘ’と表す）及び上りリンク（‘Ｕ’と表す）に分類される。
【００９９】
従って、下りリンクスロットにおいてＵＥは下りリンク伝送が‘Ｄ’及び‘Ｘ’シンボルでのみ発生すると仮定できる。同様に、上りリンクスロットにおいてＵＥは上りリンク伝送が‘Ｕ’及び‘Ｘ’シンボルでのみ発生すると仮定できる。
【０１００】
２．３．アナログビームフォーミング（Ａｎａｌｏｇ Ｂｅａｍｆｏｒｍｉｎｇ）
【０１０１】
ミリ波（Ｍｉｌｌｉｍｅｔｅｒ Ｗａｖｅ、ｍｍＷ）では波長が短いので、同一面積に多数のアンテナエレメント（ｅｌｅｍｅｎｔ）の設置が可能である。即ち、３０ＧＨｚ帯域において波長は１ｃｍであるので、５＊５ｃｍのパネルに０．５ｌａｍｂｄａ（波長）間隔で２次元（２−ｄｉｍｅｎｓｉｏｎ）配列する場合、全１００個のアンテナエレメントを設けることができる。これにより、ミリ波（ｍｍＷ）では多数のアンテナエレメントを使用してビームフォーミング（ｂｅａｍｆｏｒｍｉｎｇ、ＢＦ）利得を上げてカバレッジを増加させるか、或いはスループット（ｔｈｒｏｕｇｈｐｕｔ）を向上させることができる。
【０１０２】
この時、アンテナエレメントごとに伝送パワー及び位相の調節ができるように、各々のアンテナエレメントはＴＸＲＵ（ｔｒａｎｓｃｅｉｖｅｒ）を含む。これにより、各々のアンテナエレメントは周波数リソースごとに独立的なビームフォーミングを行うことができる。
【０１０３】
しかし、１００個余りの全てのアンテナエレメントにＴＸＲＵを設けることは費用面で実効性が乏しい。従って、１つのＴＸＲＵに多数のアンテナエレメントをマッピングし、アナログ位相シフター（ａｎａｌｏｇ ｐｈａｓｅ ｓｈｉｆｔｅｒ）でビーム方向を調節する方式が考えられている。かかるアナログビームフォーミング方式では全帯域において１つのビーム方向のみを形成できるので、周波数選択的なビームフォーミングが難しいという短所がある。
【０１０４】
これを解決するために、デジタルビームフォーミング及びアナログビームフォーミングの中間形態として、Ｑ個のアンテナエレメントより少ない数のＢ個のＴＸＲＵを有するハイブリッドビームフォーミング（ｈｙｂｒｉｄ ＢＦ）が考えられる。この場合、Ｂ個のＴＸＲＵとＱ個のアンテナエレメントの連結方式によって差はあるが、同時に伝送可能なビームの方向はＢ個以下に制限される。
【０１０５】
図７及び図８は、ＴＸＲＵとアンテナエレメント（ｅｌｅｍｅｎｔ）の代表的な連結方式を示す図である。ここで、ＴＸＲＵ仮想化（ｖｉｒｔｕａｌｉｚａｔｉｏｎ）モデルは、ＴＸＲＵの出力信号とアンテナエレメントの出力信号との関係を示す。
【０１０６】
図７はＴＸＲＵがサブアレイ（ｓｕｂ−ａｒｒａｙ）に連結された方式を示している。図７の場合、アンテナエレメントは１つのＴＸＲＵのみに連結される。
【０１０７】
反面、図８はＴＸＲＵが全てのアンテナエレメントに連結された方式を示している。図８の場合、アンテナエレメントは全てのＴＸＲＵに連結される。この時、アンテナエレメントが全てのＴＸＲＵに連結されるためには、図８に示したように、別の加算器が必要である。
【０１０８】
図７及び図８において、Ｗはアナログ位相シフター（ａｎａｌｏｇ ｐｈａｓｅ ｓｈｉｆｔｅｒ）により乗じられる位相ベクトルを示す。即ち、Ｗはアナログビームフォーミングの方向を決定する主要パラメータである。ここで、ＣＳＩ−ＲＳアンテナポートと複数のＴＸＲＵとのマッピングは１：１又は１：多である。
【０１０９】
図７の構成によれば、ビームフォーミングのフォーカシングが難しいという短所があるが、全てのアンテナ構成を安価に構成できるという長所がある。
【０１１０】
図８の構成によれば、ビームフォーミングのフォーカシングが容易であるという長所がある。但し、全てのアンテナエレメントにＴＸＲＵが連結されるので、全体の費用が増加するという短所がある。
【０１１１】
本発明が適用可能なＮＲシステムにおいて、複数のアンテナが使用される場合、デジタルビームフォーミング（Ｄｉｇｉｔａｌ ｂｅａｍｆｏｒｍｉｎｇ）及びアナログビームフォーミングを結合したハイブリッドビームフォーミング（ｈｙｂｒｉｄ ｂｅａｍｆｏｒｍｉｎｇ）方式が適用される。この時、アナログビームフォーミング（又はＲＦ（ｒａｄｉｏ ｆｒｅｑｕｅｎｃｙ）ビームフォーミング）は、ＲＦ端でプリコーディング（又は組み合わせ（ｃｏｍｂｉｎｉｎｇ））を行う動作を意味する。またハイブリッドビームフォーミングにおいて、ベースバンド（ｂａｓｅｂａｎｄ）端とＲＦ端は各々プリコーティング（又は組み合わせ）を行う。これによりＲＦチェーンの数とＤ／Ａ（Ｄｉｇｉｔａｌ ｔｏ ａｎａｌｏｇ）（又はＡ／Ｄ（ａｎａｌｏｇ ｔｏ ｄｉｇｉｔａｌ））コンバーターの数を減らしながらデジタルビームフォーミングに近接する性能を得られるという長所がある。
【０１１２】
説明の便宜上、ハイブリッドビームフォーミングの構造は、Ｎ個の送受信端（ｔｒａｎｓｃｅｉｖｅｒ ｕｎｉｔ、ＴＸＲＵ）とＭ個の物理的アンテナで表すことができる。この時、送信端から伝送するＬ個のデータ層（ｄｉｇｉｔａｌ ｌａｙｅｒ）に対するデジタルビームフォーミングは、Ｎ＊Ｌ（Ｌ ｂｙ Ｌ）行列で表される。その後、変換されたＮ個のデジタル信号はＴＸＲＵを介してアナログ信号に変換され、変換された信号に対してＭ＊Ｎ（Ｍ ｂｙ Ｎ）行列で表されるアナログビームフォーミングが適用される。
【０１１３】
図９は、本発明の一例によるＴＸＲＵ及び物理的アンテナ観点におけるハイブリッドビームフォーミングの構造を簡単に示す図である。この時、図９においてデジタルビームの数はＬ個であり、アナログビームの数はＮ個である。
【０１１４】
さらに、本発明が適用可能なＮＲシステムにおいては、基地局がアナログビームフォーミングをシンボル単位で変更できるように設計して、所定の地域に位置した端末に効率的なビームフォーミングを支援する方法が考えられる。さらに、図９に示したように、所定のＮ個のＴＸＲＵとＭ個のＲＦアンテナを１つのアンテナパネルに定義した時、本発明によるＮＲシステムにおいては、互いに独立したハイブリッドビームフォーミングが適用可能な複数のアンテナパネルを導入する案も考えられる。
【０１１５】
以上のように基地局が複数のアナログビームを活用する場合、端末ごとに信号の受信に有利なアナログビームが異なる。よって本発明が適用可能なＮＲシステムにおいては、基地局が所定のサブフレーム（ＳＦ）内でシンボルごとに異なるアナログビームを適用して（少なくとも同期信号、システム情報、ページング（ｐａｇｉｎｇ）など）信号を伝送することにより、全ての端末が受信機会を得るようにするビームスウィーピング（ｂｅａｍ ｓｗｅｅｐｉｎｇ）動作が考えられている。
【０１１６】
図１０は本発明の一例による下りリンク（Ｄｏｗｎｌｉｎｋ、ＤＬ）伝送過程において、同期信号（Ｓｙｎｃｈｒｏｎｉｚａｔｉｏｎ ｓｉｇｎａｌ）とシステム情報（Ｓｙｓｔｅｍ ｉｎｆｏｒｍａｔｉｏｎ）に対するビームスウィーピング（Ｂｅａｍ ｓｗｅｅｐｉｎｇ）動作を簡単に示す図である。
【０１１７】
図１０において、本発明が適用可能なＮＲシステムのシステム情報がブロードキャスティング（Ｂｒｏａｄｃａｓｔｉｎｇ）方式で伝送される物理的リソース（又は物理チャネル）を、ｘＰＢＣＨ（ｐｈｙｓｉｃａｌ ｂｒｏａｄｃａｓｔ ｃｈａｎｎｅｌ）と称する。この時、１つのシンボル内で互いに異なるアンテナパネルに属する複数のアナログビームは同時に伝送可能である。
【０１１８】
また図１０に示したように、本発明が適用可能なＮＲシステムにおいて、アナログビームごとのチャネルを測定するための構成であって、（所定のアンテナパネルに対応する）単一のアナログビームが適用されて伝送される参照信号（Ｒｅｆｅｒｅｎｃｅ ｓｉｇｎａｌ、ＲＳ）であるビーム参照信号（Ｂｅａｍ ＲＳ、ＢＲＳ）の導入が論議されている。ＢＲＳは複数のアンテナポットに対して定義され、ＢＲＳの各々のアンテナポットは単一のアナログビームに対応する。この時、ＢＲＳとは異なり、同期信号又はｘＰＢＣＨは、任意の端末がよく受信するようにアナログビームのグループ内の全てのアナログビームが適用されて伝送される。
【０１１９】
３．ＮＢ−ＩｏＴ（Ｎａｒｒｏｗ Ｂａｎｄ−Ｉｎｔｅｒｎｅｔ ｏｆ Ｔｈｉｎｇｓ）
【０１２０】
以下、ＮＢ−ＩｏＴの技術的特徴について詳しく説明する。この時、説明の便宜上、以下では３ＧＰＰ ＬＴＥ標準に基づくＮＢ−ＩｏＴを中心として説明するが、該当構成は３ＧＰＰ ＮＲ標準についても同様に適用できる。このために、一部の技術構成を変更して解釈することもできる（例えば、サブフレーム−＞スロット）。
【０１２１】
従って、以下では、ＬＴＥ標準技術を基準としてＮＢ−ＩｏＴ技術について詳しく説明するが、当業者が容易に導き出せる範囲内でＬＴＥ標準技術をＮＲ標準技術に代替して解釈してもよい。
【０１２２】
３.１．運用モード及び周波数
【０１２３】
ＮＢ−ＩｏＴはＩｎ−ｂａｎｄ、ｇｕａｒｄ ｂａｎｄ、ｓｔａｎｄ−ａｌｏｎｅの３つの運用モードを支援し、モードごとに同じ要求事項が適用される。
【０１２４】
（１）Ｉｎ−ｂａｎｄモードでは、ＬＴＥ（Ｌｏｎｇ−Ｔｅｒｍ Ｅｖｏｌｕｔｉｏｎ）帯域内のリソースのうちの一部をＮＢ−ＩｏＴに割り当てて運用する。
【０１２５】
（２）Ｇｕａｒｄ ｂａｎｄモードでは、ＬＴＥの保護周波数帯域を活用し、ＮＢ−ＩｏＴキャリアはＬＴＥの縁部の副搬送波にできる限り近く配置される。
【０１２６】
（３）Ｓｔａｎｄ−ａｌｏｎｅモードでは、ＧＳＭ（Ｇｌｏｂａｌ Ｓｙｓｔｅｍ ｆｏｒ Ｍｏｂｉｌｅ Ｃｏｍｍｕｎｉｃａｔｉｏｎｓ）帯域内の一部のキャリアを別に割り当てて運営する。
【０１２７】
ＮＢ−ＩｏＴ端末は、初期同期化のために１００ｋＨｚ単位でアンカーキャリア（ａｎｃｈｏｒ ｃａｒｒｉｅｒ）を探索し、Ｉｎ−ｂａｎｄ及びｇｕａｒｄ ｂａｎｄのアンカーキャリアの中心周波数は１００ｋＨｚチャネルラスター（ｃｈａｎｎｅｌ ｒａｓｔｅｒ）から±７.５ｋＨｚ以内に位置しなければならない。また、ＬＴＥ ＰＲＢのうち、真ん中の６ＰＲＢはＮＢ−ＩｏＴに割り当てない。よって、アンカーキャリアは特定のＰＲＢ（Ｐｈｙｓｉｃａｌ Ｒｅｓｏｕｒｃｅ Ｂｌｏｃｋ）にのみ位置することができる。
【０１２８】
図１１はＬＴＥ帯域幅１０ＭＨｚに対するＩｎ−ｂａｎｄアンカーキャリアの配置を簡単に示す図である。
【０１２９】
図１１に示したように、ＤＣ（Ｄｉｒｅｃｔ Ｃｕｒｒｅｎｔ）副搬送波は、チャネルラスターに位置する。隣接ＰＲＢ間の中心周波数の間隔は１８０ｋＨｚであるので、ＰＲＢインデックス４、９、１４、１９、３０、３５、４０、４５はチャネルラスターから±２.５ｋＨに中心周波数が位置する。
【０１３０】
同様に、帯域幅２０ＭＨｚである場合にも、アンカーキャリアの送信に適するＰＲＢの中心周波数は、チャネルラスターから±２.５ｋＨｚに位置し、帯域幅３ＭＨｚ、５ＭＨｚ、１５ＭＨｚの場合には±７.５ｋＨｚに位置する。
【０１３１】
Ｇｕａｒｄ ｂａｎｄモードの場合、帯域幅１０ＭＨｚと２０ＭＨｚについてＬＴＥの縁部のＰＲＢにすぐ隣接するＰＲＢがチャネルラスターから±２.５ｋＨｚに中心周波数が位置し、３ＭＨｚ、５ＭＨｚ、１５ＭＨｚの場合には、縁部のＰＲＢから３つの副搬送波に該当する保護周波数帯域を使用することにより、チャネルラスターから±７.５ｋＨｚにアンカーキャリアの中心周波数が位置することができる。
【０１３２】
Ｓｔａｎｄ−ａｌｏｎｅモードのアンカーキャリアは、１００ｋＨｚのチャネルラスターに整列され、ＤＣキャリアを含む全てのＧＳＭキャリアをＮＢ−ＩｏＴアンカーキャリアとして活用することができる。
【０１３３】
また、ＮＢ−ＩｏＴは多数のキャリア運用を支援し、Ｉｎ−ｂａｎｄ＋Ｉｎ−ｂａｎｄ、Ｉｎ−ｂａｎｄ＋ｇｕａｒｄ ｂａｎｄ、ｇｕａｒｄ ｂａｎｄ＋ｇｕａｒｄ ｂａｎｄ、ｓｔａｎｄ−ａｌｏｎｅ＋ｓｔａｎｄ−ａｌｏｎｅの組み合わせが使用される。
【０１３４】
３.２．物理チャネル
【０１３５】
３.２.１．下りリンク（ＤＬ）
【０１３６】
ＮＢ−ＩｏＴ下りリンクは１５ｋＨｚの副搬送波間隔を有するＯＦＤＭＡ（Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ）方式を使用する。これにより、副搬送波の間の直交性を提供してＬＴＥシステムとの共存（ｃｏｅｘｉｓｔｅｎｃｅ）を円滑にする。
【０１３７】
下りリンクには、ＮＰＢＣＨ（Ｎａｒｒｏｗｂａｎｄ Ｐｈｙｓｉｃａｌ Ｂｒｏａｄｃａｓｔ Ｃｈａｎｎｅｌ）、ＮＰＤＳＣＨ（Ｎａｒｒｏｗｂａｎｄ Ｐｈｙｓｉｃａｌ Ｄｏｗｎｌｉｎｋ Ｓｈａｒｅｄ Ｃｈａｎｎｅｌ）、ＮＰＤＣＣＨ（Ｎａｒｒｏｗｂａｎｄ Ｐｈｙｓｉｃａｌ Ｄｏｗｎｌｉｎｋ ｃｏｎｔｒｏｌ Ｃｈａｎｎｅｌ）のような物理チャネルが提供され、物理信号としては、ＮＰＳＳ（Ｎａｒｒｏｗｂａｎｄ Ｐｒｉｍａｒｙ Ｓｙｎｃｈｒｏｎｉｚａｔｉｏｎ Ｓｉｇｎａｌ）、ＮＳＳＳ（Ｎａｒｒｏｗｂａｎｄ Ｐｒｉｍａｒｙ Ｓｙｎｃｈｒｏｎｉｚａｔｉｏｎ Ｓｉｇｎａｌ）、ＮＲＳ（Ｎａｒｒｏｗｂａｎｄ Ｒｅｆｅｒｅｎｃｅ Ｓｉｇｎａｌ）が提供される。
【０１３８】
図１２はＦＤＤ ＬＴＥシステムにおいて、下りリンク物理チャネル及び下りリンク信号が送信される位置を簡単に示す図である。
【０１３９】
図１２に示したように、ＮＰＢＣＨは各フレームの１番目のサブフレーム、ＮＰＳＳは各フレームの６番目のサブフレーム、またＮＳＳＳは各偶数フレームの最後のサブフレームに送信される。
【０１４０】
ＮＢ−ＩｏＴ端末は網に接続するためにセルのシステム情報を得る必要がある。このために、セルサーチ過程によりセルとの同期を得なければならず、このための同期信号（ＮＰＳＳ、ＮＳＳＳ）が下りリンクに送信される。
【０１４１】
ＮＢ−ＩｏＴ端末は同期信号を用いて周波数、シンボル、フレーム同期を取得し、５０４個のＰＣＩＤ（Ｐｈｙｓｉｃａｌ ｃｅｌｌ ＩＤ）を探索する。ＬＴＥ同期信号は６ＰＲＢリソースにより送信されるように設計されており、１ＰＲＢを使用するＮＢ−ＩｏＴへの再使用は不可能である。
【０１４２】
よって、新しいＮＢ−ＩｏＴ同期信号が設計されてＮＢ−ＩｏＴの３つの運用モードに同様に適用される。
【０１４３】
より具体的には、ＮＢ−ＩｏＴシステムにおける同期信号であるＮＰＳＳは、シーケンスの長さが１１であり、ルートインデックス（ｒｏｏｔ ｉｎｄｅｘ）値として５を有するＺＣ（Ｚａｄｏｆｆ−Ｃｈｕ）シーケンスで構成される。
【０１４４】
この時、上記ＮＰＳＳは以下の数式により生成されることができる。
【０１４５】
【数１】
2020516125.tif 000015
【０１４６】
ここで、シンボルインデックスｌに対するＳ（ｌ）は以下の表のように定義できる。
【０１４７】
【表６】
2020516125.tif 000016
【０１４８】
また、ＮＢ−ＩｏＴシステムにおける同期信号であるＮＳＳＳは、シーケンスの長さが１３１であるＺＣシーケンスとＨａｄａｍａｒｄシーケンスのようなバイナリスクランブル（ｂｉｎａｒｙ ｓｃｒａｍｂｌｉｎｇ）シーケンスとの組み合わせで構成される。特に、ＮＳＳＳはセル内のＮＢ−ＩｏＴ端末に上記シーケンスの組み合わせによってＰＣＩＤを指示する。
【０１４９】
この時、上記ＮＳＳＳは以下の数式により生成されることができる。
【０１５０】
【数２】
2020516125.tif 000017
【０１５１】
ここで、数２に適用される変数は以下のように定義できる。
【０１５２】
【表７】
2020516125.tif 000018
【０１５３】
また、バイナリシーケンスｂq（ｍ）は以下の表のように定義され、フレーム番号ｎfに対する巡回シフト（ｃｙｃｌｉｃ ｓｈｉｆｔ）θfは以下の数式のように定義されることができる。
【０１５４】
【表８】
2020516125.tif 000019
【０１５５】
【数３】
2020516125.tif 000020
【０１５６】
ＮＲＳは下りリンク物理チャネルの復調に必要なチャネル推定のための基準信号として提供され、ＬＴＥと同じ方式で生成される。但し、初期化のための初期値としてＮＢＮａｒｒｏｗｂａｎｄ−Ｐｈｙｓｉｃａｌ ｃｅｌｌ ＩＤ（ＰＣＩＤ）を使用する。
【０１５７】
ＮＲＳは１つ又は２つのアンテナポートに送信され、ＮＢ−ＩｏＴの基地局の送信アンテナは最大２つまで支援される。
【０１５８】
ＮＰＢＣＨはＮＢ−ＩｏＴ端末がシステムに接続するために必ず知るべき最小限のシステム情報であるＭＩＢ−ＮＢ（Ｍａｓｔｅｒ Ｉｎｆｏｒｍａｔｉｏｎ Ｂｌｏｃｋ−Ｎａｒｒｏｗｂａｎｄ）を端末に伝達する。
【０１５９】
ＭＩＢ−ＮＢのＴＢＳ（Ｔｒａｎｓｐｏｒｔ Ｂｌｏｃｋ Ｓｉｚｅ）は３４ビットであり、６４０ｍｓのＴＴＩ（Ｔｒａｎｓｍｉｓｓｉｏｎ Ｔｉｍｅ Ｉｎｔｅｒｖａｌ）周期ごとに新しく更新されて送信され、運用モード、ＳＦＮ（Ｓｙｓｔｅｍ Ｆｒａｍｅ Ｎｕｍｂｅｒ）、Ｈｙｐｅｒ−ＳＦＮ、ＣＲＳ（Ｃｅｌｌ−ｓｐｅｃｉｆｉｃ Ｒｅｆｅｒｅｎｃｅ Ｓｉｇｎａｌ）ポート数、チャネルラスターのオフセットなどの情報を含む。
【０１６０】
ＮＰＢＣＨ信号はカバレッジ向上のために全８回の繰り返し送信が可能である。
【０１６１】
ＮＰＤＣＣＨチャネルはＮＰＢＣＨと同じ送信アンテナ構成を有し、３種類のＤＣＩ（Ｄｏｗｎｌｉｎｋ ｃｏｎｔｒｏｌ Ｉｎｆｏｒｍａｔｉｏｎ）フォーマットを支援する。ＤＣＩ Ｎ０はＮＰＵＳＣＨ（Ｎａｒｒｏｗｂａｎｄ Ｐｈｙｓｉｃａｌ Ｕｐｌｉｎｋ Ｓｈａｒｅｄ Ｃｈａｎｎｅｌ）のスケジュール情報を端末に送信する時に使用され、ＤＣＩ Ｎ１とＮ２はＮＰＤＳＣＨの復調に必要な情報を端末に伝達する場合に使用される。ＮＰＤＣＣＨはカバレッジ向上のために最大２０４８回の繰り返し送信が可能である。
【０１６２】
ＮＰＤＳＣＨはＤＬ−ＳＣＨ（Ｄｏｗｎｌｉｎｋ−Ｓｈａｒｅｄ Ｃｈａｎｎｅｌ）、ＰＣＨ（Ｐａｇｉｎｇ Ｃｈａｎｎｅｌ）のようなＴｒＣＨ（Ｔｒａｎｓｐｏｒｔ Ｃｈａｎｎｅｌ）送信のための物理チャネルである。最大ＴＢＳは６８０ビットであり、カバレッジ向上のために最大２０４８回繰り返し送信が可能である。
【０１６３】
３.２.２．上りリンク（ＵＬ）
【０１６４】
上りリンク物理チャネルはＮＰＲＡＣＨ（Ｎａｒｒｏｗｂａｎｄ Ｐｈｙｓｉｃａｌ Ｒａｎｄｏｍ Ａｃｃｅｓｓ Ｃｈａｎｎｅｌ）、ＮＰＵＳＣＨで構成され、シングルトーン（Ｓｉｎｇｌｅ−ｔｏｎｅ）及びマルチトーン（Ｍｕｌｔｉ−ｔｏｎｅ）の送信を支援する。
【０１６５】
マルチトーンの送信は１５ｋＨｚの副搬送波間隔にのみ支援され、シングルトーンの送信は３.５ｋＨｚと１５ｋＨｚの副搬送波間隔に支援される。
【０１６６】
上りリンクにおいて、１５Ｈｚの副搬送波間隔は、ＬＴＥとの直交性を維持できるので最適の性能を提供するが、３.７５ｋＨｚの副搬送波間隔は、直交性が瓦解して干渉による性能劣化が発生することができる。
【０１６７】
ＮＰＲＡＣＨプリアンブルは４つのシンボルグループで構成され、ここで、各シンボルグループはＣＰ（Ｃｙｃｌｉｃ Ｐｒｅｆｉｘ）と５つのシンボルで構成される。ＮＰＲＡＣＨは３.７５ｋＨｚの副搬送波間隔のシングルトーンの送信のみを支援し、互いに異なるセル半径を支援するために、６６.７μｓと２６６.６７μｓの長さのＣＰを提供する。各シンボルグループは周波数ホッピング（ｆｒｅｑｕｅｎｃｙ ｈｏｐｐｉｎｇ）を行うが、ホッピングパターンは以下の通りである。
【０１６８】
１番目のシンボルグループを送信する副搬送波は、疑似ランダム（ｐｓｅｕｄｏ−ｒａｎｄｏｍ）方式で決定される。２番目のシンボルグループは１副搬送波、３番目のシンボルグループは６副搬送波、また４番目のシンボルグループは１副搬送波のホッピングを行う。
【０１６９】
繰り返し送信の場合は、上記周波数ホッピングの手順を繰り返して適用し、カバレッジ向上のためにＮＰＲＡＣＨプリアンブルは最大１２８回まで繰り返し送信が可能である。
【０１７０】
ＮＰＵＳＣＨは２つのフォーマットを支援する。Ｆｏｒｍａｔ １はＵＬ−ＳＣＨ送信のためのものであり、最大ＴＢＳ（ｔｒａｎｓｍｉｓｓｉｏｎ Ｂｌｏｃｋ Ｓｉｚｅ）は１０００ビットである。Ｆｏｒｍａｔ ２はＨＡＲＱ ＡＣＫシグナリングのような上りリンク制御情報の送信に使用される。Ｆｏｒｍａｔ １はシングルトーン及びマルチトーン送信を支援し、ｆｏｒｍａｔ ２はシングルトーン送信のみ支援される。シングルトーンの送信の場合、ＰＡＰＲ（Ｐｅａｔ−ｔｏ−Ａｖｅｒａｇｅ Ｐｏｗｅｒ Ｒａｔｉｏ）を減らすために、ｐ／２−ＢＰＳＫ（Ｂｉｎａｒｙ Ｐｈａｓｅ Ｓｈｉｆｔ Ｋｅｙｉｎｇ）、ｐ／４−ＱＰＳＫ（Ｑｕａｄｒａｔｕｒｅ Ｐｈａｓｅ Ｓｈｉｆｔ Ｋｅｙｉｎｇ）を使用する。
【０１７１】
３.２.３．リソースマッピング
【０１７２】
Ｓｔａｎｄ−ａｌｏｎｅとｇｕａｒｄ ｂａｎｄのモードでは、１ＰＲＢに含まれた全てのリソースをＮＢ−ＩｏＴに割り当てることができるが、Ｉｎ−ｂａｎｄモードの場合は、既存のＬＴＥ信号との直交性維持のためにリソースマッピングに制約がある。
【０１７３】
ＮＢ−ＩｏＴ端末は、システム情報がない状況で初期同期化のためにＮＰＳＳ及びＮＳＳＳを検出しなければならない。従って、ＬＴＥ制御チャネルの割り当て領域に分類されるリソース（各サブフレームの０〜２番目のＯＦＤＭシンボル）はＮＰＳＳ、ＮＳＳＳに割り当てることができず、ＬＴＥ ＣＲＳと重畳するＲＥ（Ｒｅｓｏｕｒｃｅ Ｅｌｅｍｅｎｔ）にマッピングされたＮＰＳＳ、ＮＳＳＳシンボルはパンクチャリングが必要である。
【０１７４】
図１３はＩｎ−ｂａｎｄモードにおいてＮＢ−ＩｏＴ信号とＬＴＥ信号のリソース割り当ての例を簡単に示す図である。
【０１７５】
図１３に示したように、ＮＰＳＳ及びＮＳＳＳは容易な具現化のために、運用モードに関係なく従来のＬＴＥシステムにおける制御チャネルのための送信リソース領域に該当するサブフレーム内の最初の３つのＯＦＤＭシンボルでは送信されない。従来のＬＴＥシステムにおけるＣＲＳ（Ｃｏｍｍｏｎ Ｒｅｆｅｒｅｎｃｅ Ｓｉｇｎａｌ）及び物理リソース上で衝突するＮＰＳＳ／ＮＳＳＳのためのＲＥはパンクチャリングされて、従来のＬＴＥシステムに影響を及ぼさないようにマッピングされる。
【０１７６】
セルサーチ後、ＮＢ−ＩｏＴ端末はＰＣＩＤ以外のシステム情報がない状況でＮＰＢＣＨを復調する。従って、ＬＴＥ制御チャネルの割り当て領域にＮＰＢＣＨシンボルをマッピングすることができない。また４つのＬＴＥアンテナポート、２つのＮＢ−ＩｏＴアンテナポートを仮定しなければならないので、それによるＣＲＳ及びＮＲＳに割り当てられるＲＥはＮＰＢＣＨに割り当てることができない。従って、ＮＰＢＣＨは与えられる利用可能なリソースに合わせてレートマッチングを行う必要がある。
【０１７７】
ＮＰＢＣＨの復調後、ＮＢ−ＩｏＴ端末はＣＲＳアンテナポート数に関する情報を得るが、相変わらず、ＬＴＥ制御チャネルの割り当て領域の情報を把握できない。従って、ＳＩＢ１（Ｓｙｓｔｅｍ Ｉｎｆｏｒｍａｔｉｏｎ Ｂｌｏｃｋ ｔｙｐｅ １）データを送信するＮＰＤＳＣＨをＬＴＥ制御チャネルの割り当て領域に分類されたリソースにマッピングしない。
【０１７８】
しかし、ＮＰＢＣＨとは異なり、ＬＴＥ ＣＲＳに割り当てられないＲＥをＮＰＤＳＣＨに割り当てることができる。ＳＩＢ１の受信後、ＮＢ−ＩｏＴ端末はリソースマッピングに関連する情報を全て獲得した状態であるので、ＬＴＥ制御チャネル情報とＣＲＳアンテナポート数に基づいてＮＰＤＳＣＨ（ＳＩＢ１を送信する場合を除く）とＮＰＤＣＣＨを利用可能なリソースにマッピングすることができる。
【０１７９】
４．提案する実施例
【０１８０】
以下、上記技術的思想に基づいて本発明で提案する構成についてより詳しく説明する。
【０１８１】
ＮＢ−ＩｏＴ端末は、他の無線通信システム（例：ＬＴＥ）端末のカバレッジに対応する一般カバレッジ（ｎｏｒｍａｌ ｃｏｖｅｒａｇｅ）及びそれより広い拡張カバレッジ（ｅｘｔｅｎｄｅｄ ｃｏｖｅｒａｇｅ）を全て支援できる。ここで、一般カバレッジと拡張カバレッジは各々ＳＮＲ（Ｓｉｇｎａｌ−ｔｏ−Ｎｏｉｓｅ Ｒａｔｉｏ）の観点で−６ｄＢと−１２ｄＢに該当し、それに対する要求値は３ＧＰＰ ＴＳ ３６.１３３“Ｒｅｑｕｉｒｅｍｅｎｔｓ ｆｏｒ ｓｕｐｐｏｒｔ ｏｆ ｒａｄｉｏ ｒｅｓｏｕｒｃｅ ｍａｎａｇｅｍｅｎｔ”などにより定義される。
【０１８２】
この時、拡張カバレッジにおいて、ＮＢ−ＩｏＴ端末のセルサーチ（ｃｅｌｌ ｓｅａｒｃｈ）時間は、特定の信頼度（例えば、９０％）を満たすために多い時間を必要とすることができる。よって、本発明が適用可能なＲｅｌ−１５システム以後のＬＴＥ、ＮＲシステムでは、ＮＢ−ＩｏＴのセルサーチ性能を向上させる方法が適用される。この時、セルサーチ性能の向上は、端末の向上した受信器（ａｄｖａｎｃｅｄ ｒｅｃｅｉｖｅｒ）により達成されるか、又は同期信号（ｓｙｎｃｈｒｏｎｉｚａｔｉｏｎ ｓｉｇｎａｌ）又はチャネルの追加送信により達成される。
【０１８３】
以下、本発明では、ＮＢ−ＩｏＴ端末のセルサーチ性能の向上のために同期信号又はチャネルを追加送信する方法として、新しいＮＰＳＳとＮＳＳＳについて詳しく説明する。
【０１８４】
説明の便宜上、ＮＢ−ＩｏＴシステムで定義されたＮＰＳＳ及びＮＳＳＳと本発明で提案する新しいＮＰＳＳ及びＮＳＳＳを区分するために、新しいＮＰＳＳとＮＳＳＳを各々ａＮＰＳＳ（ａｄｄｉｔｉｏｎａｌ ＮＰＳＳ）とａＮＳＳＳ（ａｄｄｉｔｉｏｎａｌ ＮＳＳＳ）と呼ぶ。
【０１８５】
この時、ａＮＰＳＳとａＮＳＳＳは基地局で常に送信されるか、又はサービングセル或いは測定のためのターゲットセルのａＮＰＳＳとａＮＳＳＳの設定情報が割り当てられた場合にのみ送信されることができる。
【０１８６】
特に、ａＮＰＳＳ及びａＮＳＳＳは、基地局が特定区間の間にのみａＮＰＳＳとａＮＳＳＳを送信する場合にもレガシー（ｌｅｇａｃｙ）端末（例：Ｒｅｌ.１５システム以前のシステムで支援するＮＢ−ＩｏＴ端末）のセルサーチ過程において性能の劣化を最小化するように設計される必要がある。よって、本発明では、上記のような事項を考慮したａＮＰＳＳとａＮＳＳＳについて詳しく説明する。
【０１８７】
まず、ＮＢ−ＩｏＴ端末のＮＰＳＳとＮＳＳＳを用いたセルサーチ過程は以下の順に行われる。
【０１８８】
まず、ＮＢ−ＩｏＴ端末は、周波数スキャン過程においてアンカーキャリア（ａｎｃｈｏｒ−ｃａｒｒｉｅｒ）を探すために、ＮＢ−ＩｏＴチャネルラスター（ｃｈａｎｎｅｌ ｒａｓｔｅｒ）の条件に該当する任意の搬送波周波数で１８０ｋＨｚ帯域のＮＰＳＳ検出を試みる。
【０１８９】
この時、端末のＮＰＳＳ検出方法は、端末の具現化方法によって様々な方法で行われる。一例として、３ＧＰＰ ＴＳ ３６.２１１の１０.２.７.１に定義されたＮＰＳＳ構造を考慮すると（数１を参照）、ＮＢ−ＩｏＴ端末は１１回繰り返されるＯＦＤＭシンボルの検出を試みてＮＰＳＳ検出を行う。この時、各ＯＦＤＭシンボルについてはＮＰＳＳ検出過程で３ＧＰＰ ＴＳ ３６.２１１のＴａｂｌｅ １０.２.７.１.１−１に定義されているカバーコードＳ（ｌ）（表６を参照）の除去が必要である。
【０１９０】
もし、該当シンボルが検出されると、端末は検出された時点に位相オフセット（ｐｈａｓｅ ｏｆｆｓｅｔ）を推定して、ＣＦＯ（Ｃａｒｒｉｅｒ Ｆｒｅｑｕｅｎｃｙ Ｏｆｆｓｅｔ）を推定できる。また、推定されたＣＦＯを受信信号に補償して、端末はｄｌ（ｎ）に対する相互相関（ｃｒｏｓｓ−ｃｏｒｒｅｌａｔｉｏｎ）技法で正確なタイミングを推定することができる。
【０１９１】
その後、端末は３ＧＰＰ ＴＳ ３６.２１１の１０.２.７.２に定義されているＮＳＳＳ（数２を参照）に対する検出を試みて、
2020516125.tif 000021
とフレーム番号（ｆｒａｍｅ ｎｕｍｂｅｒ）を検出する。
【０１９２】
ここで
2020516125.tif 000022
は、３ＧＰＰ ＴＳ ３６.２１１のＴａｂｌｅ１０.２.７.２.１−１と長さ１３１のＺａｄｏｆｆ−Ｃｈｕシーケンスから誘導される。また、フレーム番号は、巡回シフト値に対する推定により検出される。
【０１９３】
図１２に示したように、ＮＳＳＳは偶数番目の無線フレームの９番サブフレームにするので、端末はＮＰＳＳＳの検出後に１０ｍｓｅｃ単位の無線フレームの境界を分かることができる。但し、端末は２０ｍｓｅｃ単位の偶数番目の無線フレームと奇数番目の無線フレームを区分できないので、端末は１０ｍｓｅｃごとにＮＳＳＳの検出を試みる。
【０１９４】
以下の表は、上述したセルサーチ動作に基づいてインバンドの動作モード（ｉｎ−ｂａｎｄ Ｏｐｅｒａｔｉｏｎ ｍｏｄｅ）のＮＢ−ＩｏＴ端末が単一のセル（Ｓｉｎｇｌｅ−ｃｅｌｌ）の環境で９０％のセル検出達成のために必要とするＮＰＳＳとＮＳＳＳの検出時間を示す。ここで、−６ｄＢと−１２ｄＢ ＳＮＲは各々一般カバレッジと拡張カバレッジに該当し、−１５ｄＢはＮＢ−ＩｏＴ端末の最大カバレッジ環境に該当する。以下の表から分かるように、ＮＢ−ＩｏＴ端末のセルサーチ時間の大部分はＮＰＳＳ検出に費やされる。
【０１９５】
【表９】
2020516125.tif 000023
【０１９６】
以下、上記技術構成に基づいて本発明で提案する構成について説明する。
【０１９７】
４．１．第１提案（ａＮＰＳＳとａＮＳＳＳを含むアンカーキャリアの無線フレーム構造）
【０１９８】
【表１０】
2020516125.tif 000024
【０１９９】
【表１１】
2020516125.tif 000025
【０２００】
表１０及び表１１は各々本発明で提案するａＮＰＳＳとａＮＳＳＳを含むアンカーキャリアの無線フレーム構造の例を示す。
【０２０１】
上記表において、“ＭＩＢ”とＳＩＢ１”は各々“ＭＩＢ−ＮＢ”と“ＳＩＢ１−ＮＢ”を示し、“（ＳＩＢ１）”は３ＧＰＰ ＴＳ ３６.２１３のＴａｂｌｅ １６.４.１.３−４でＮＰＤＳＣＨの数と
2020516125.tif 000026
によって該当サブフレームの位置に“ＳＩＢ１−ＮＢ”が位置するか又はそうではないことを意味する。
【０２０２】
表１０の構造において、ａＮＰＳＳとａＮＳＳＳは各々ｓｕｂｆｒａｍｅ＃６と＃９に位置し、ａＮＳＳＳは奇数番目の無線フレームにのみ位置する。
【０２０３】
表１１の構造において、ａＮＰＳＳとａＮＳＳＳはいずれもｓｕｂｆｒａｍｅ＃９に位置し、ａＮＰＳＳとａＮＳＳＳは奇数番目の無線フレームで互いに重畳しないように交互に位置する。この時、ａＮＰＳＳとａＮＳＳＳの送信順序を互いに入れ替えることができる。
【０２０４】
以下、表１０及び表１１の構造による具体的な特徴について詳しく説明する。
【０２０５】
４.１.１.表１０の構造による特徴
【０２０６】
表９のように、端末のセルサーチの大部分はＮＰＳＳ検出に消費されるので、ａＮＰＳＳはａＮＳＳＳよりも多く追加送信される必要がある。また、ＮＢ−ＩｏＴ端末は、隣のセル測定（ｎｅｉｇｈｂｏｒ ｃｅｌｌ ｍｅａｓｕｒｅｍｅｎｔ）又はサービングセルトラッキング（ｓｅｒｖｉｎｇ ｃｅｌｌ ｔｒａｃｋｉｎｇ）などの理由で、特定期間の間にギャップが割り当てられることができるが、この時、ＲＦ電力を最小限に使用するためには、既存のＮＰＳＳと追加されるａＮＰＳＳが隣接するサブフレームで構成されることが、電力消費の観点で有利である。
【０２０７】
従って、表１０のように、ａＮＰＳＳはｓｕｂｆｒａｍｅ＃６に位置して送信されることにより、ＮＢ−ＩｏＴ端末がＮＰＳＳとａＮＰＳＳを全て受信するために、ＲＦに対してオンとオフを繰り返さないように設定できる。例えば、ＮＰＳＳとａＮＰＳＳが隣接しないサブフレームに位置する場合（又は該当サブフレームで送信される場合）、ＮＢ−ＩｏＴ端末は各サブフレームの前後でＲＦのオン／オフを行わなければならず、これによりＲＦのオン／オフ区間の前後で更なる電力消費が起こることができる。
【０２０８】
また、ａＮＰＳＳの位置が無線フレームごとに同じ特定のサブフレーム位置に固定されないと、ＮＢ−ＩｏＴ端末は１０ｍｓｅｃ単位でＮＰＳＳ自己相関（ａｕｔｏ−ｃｏｒｒｅｌａｔｉｏｎ）又は相互相関を累積するために、さらにメモリを必要とする。
【０２０９】
初期セルサーチ過程でＮＰＳＳを使用して（又は追加ａＮＰＳＳまで使用して）１０ｍｓｅｃ単位の無線フレーム境界を検出すると、ＮＢ−ＩｏＴ端末はＮＳＳＳ検出を試みる。
【０２１０】
この時、ＮＢ−ＩｏＴ端末は２０ｍｓｅｃ単位の偶数番目の無線フレームの位置を分からないので、各ｓｕｂｆｒａｍｅ＃９の位置でＮＳＳＳ検出を試みることができる。
【０２１１】
従って、追加ａＮＳＳＳがｓｕｂｆｒａｍｅ＃９ではないところに位置すると、ＮＢ−ＩｏＴ端末は各ｓｕｂｆｒａｍｅ＃９と共に他のｓｕｂｆｒａｍｅ（ａＮＳＳＳが送信される）まで受信する必要があるので、電力損失が発生する。
【０２１２】
反面、奇数番目の無線フレームにａＮＳＳＳが位置すると、ＮＢ−ＩｏＴ端末は各ｓｕｂｆｒａｍｅ＃９の位置でＮＳＳＳとａＮＳＳＳの検出を試みてＲＦ電力損失を最小化することができる。但し、ａＮＰＳＳが位置するｓｕｂｆｒａｍｅ＃６はインバンドの動作モードである場合、基地局でＭＢＳＦＮ（Ｍｕｌｔｉｃａｓｔ Ｂｒｏａｄｃａｓｔ Ｓｉｎｇｌｅ Ｆｒｅｑｕｅｎｃｙ Ｎｅｔｏｗｒｋ）サブフレームへの活用には制約が発生し得る。よって、本発明によれば、上記問題を解決するために、４０ｍｓｅｃの周期内で一部の無線フレームのｓｕｂｆｒａｍｅ＃６でのみａＮＰＳＳが送信されることができる。
【０２１３】
４.１.２.表１１の構造による特徴
【０２１４】
４.１.１.に説明したように、従来の無線通信システムにおいて基地局はｓｕｂｆｒａｍｅ＃０，４，５，９を除いたサブフレームをＭＢＳＦＮサブフレームとして活用できるので、かかる事項を考慮して、ａＮＰＳＳとａＮＳＳＳは奇数番目の無線フレームのｓｕｂｆｒａｍｅ＃９に交互に位置するように設定できる（又はｓｕｂｆｒａｍｅ＃９で交互に送信できる）。ここで、ａＮＰＳＳとａＮＳＳＳの送信順序を互いに入れ替えることができる。
【０２１５】
但し、上記セルサーチ過程で上述したように、ＮＢ−ＩｏＴ端末がａＮＰＳＳを１０ｍｓｅｃ単位で累積して検出するにおいて、複雑度が増加することができ、ａＮＳＳＳについても同様である。反面、上記構成は、ＮＢ−ＩｏＴ端末がサービングセル基地局又は測定のためのターゲットセルの無線フレーム単位以上の同期を得ている場合は、有用に使用できるという長所がある。
【０２１６】
４.１.３.小結
【０２１７】
上述した表１０の構造において、ＮＳＳＳとａＮＳＳＳを含む（又は送信する）ｓｕｂｆｒａｍｅ＃９でＮＲＳは送信されないように設定できる。この時、ｌｅｇａｃｙ ＮＢ−ＩｏＴ端末が奇数番目の無線フレームのｓｕｂｆｒａｍｅ＃９でＮＲＳを期待しないようにするための方法として、該当ｓｕｂｆｒａｍｅ（例:ｓｕｂｆｒａｍｅ＃９）はＤＬ−Ｂｉｔｍａｐ−ＮＢで０と指示される必要がある。
【０２１８】
また、表１１の構造でも同様に、ａＮＰＳＳとａＮＳＳＳが送信される奇数番目の無線フレームのｓｕｂｆｒａｍｅ＃９は、ＤＬ−Ｂｉｔｍａｐ−ＮＢで０と指示される必要がある。
【０２１９】
また、逆の場合では、ｌｅｇａｃｙ ＮＢ−ＩｏＴ端末が測定サブフレームとして活用するサブフレームでは、ＮＲＳ ＲＥに対応するリソースでａＮＰＳＳとａＮＳＳＳシーケンスがＮＲＳに代替されて送信されることができる。
【０２２０】
又は、ａＮＰＳＳとａＮＳＳＳが測定サブフレームの参照信号として活用される場合、ＮＢ−ＩｏＴ端末の動作モードに関係なく、ａＮＰＳＳとａＮＳＳＳにはＮＲＳが含まれないことができる。
【０２２１】
さらに、表１０及び表１１のｓｕｂｆｒａｍｅ＃９のａＮＳＳＳはａＮＰＳＳに変更でき、ｓｕｂｆｒａｍｅ＃９に送信される追加同期信号の種類（例:ａＮＰＳＳ又はａＮＳＳＳなど）にＮＲＳ送信と重畳するＲＥでは追加同期信号ではないＮＲＳが送信されることができる。
【０２２２】
上記のように送信されるＮＲＳは、その後に送信されるｓｕｂｆｒａｍｅ＃０のＭＩＢデコーディング及び端末のＲＲＭ（ｒａｄｉｏ Ｒｅｓｏｕｒｃｅ Ｍｏｎｉｔｏｒｉｎｇ）の性能向上のために使用できる。即ち、ｓｕｂｆｒａｍｅ＃９に送信されるＮＲＳは、多重サブフレーム（ｍｕｌｔｉｐｌｅ ｓｕｂｆｒａｍｅ）のＮＲＳを用いる向上したチャネル測定性能を向上させることができる。
【０２２３】
さらに、追加同期信号（例:ａＰＳＳ、ａＮＳＳＳ）を検出できる端末は、さらにそれを用いて測定性能及びチャネル推定に活用することができる。
【０２２４】
また、表１０のｓｕｂｆｒａｍｅ＃６と表１０及び表１１のｓｕｂｆｒａｍｅ＃９でＮＰＲＳ（Ｎａｒｒｏｗｂａｎｄ Ｐｏｓｉｔｉｏｎｉｎｇ Ｒｅｆｅｒｅｎｃｅ Ｓｉｇｎａｌ）が送信されるように設定される場合、該当参照信号（例：ＮＰＲＳ）が優先して送信されることができる。
【０２２５】
４．２．第２提案（ａＮＰＳＳとａＮＳＳＳを含む非アンカーキャリアの無線フレーム構造）
【０２２６】
【表１２】
2020516125.tif 000027
【０２２７】
【表１３】
2020516125.tif 000028
【０２２８】
表１２及び表１３は各々、本発明で提案するＮＰＳＳとａＮＳＳＳを含む非アンカーキャリア（ｎｏｎ−ａｎｃｈｏｒ ｃａｒｒｉｅｒ）の無線フレーム構造の例を示す。ここで、“ＮＰＳＳ”と“ＮＳＳＳ”はアンカーキャリアで送信されるサブフレームの位置を参照するために表したものであり、ＮＰＳＳ及びＮＳＳＳは実際の非アンカーキャリアで送信されない。
【０２２９】
また、非アンカーキャリアのサブフレーム構造は、アンカーキャリアと同じ基地局で生成されるか又は他の基地局で生成され、非アンカーキャリアに対してアンカーキャリアと同じ動作モードが適用されるか又はそうではない。即ち、非アンカーキャリアに対して、必ずアンカーキャリアに対する同じ基地局によりサブフレーム構造が生成されるとは仮定せず、必ずアンカーキャリアと同じ動作モードであるとは仮定しない。但し、アンカーキャリアと非アンカーキャリアのサブフレームに対する番号は互いに同期化されていると仮定する。
【０２３０】
表１２の構造において、ａＮＰＳＳとａＮＳＳＳは各々ｓｕｂｆｒａｍｅ＃０とｓｕｂｆｒａｍｅ＃４に位置し（又は対応するサブフレームで送信され）、ａＮＳＳＳは奇数番目の無線フレームにのみ位置する（又は対応するサブフレームで送信される）。
【０２３１】
表１３の構造において、ａＮＰＳＳとａＮＳＳＳはいずれもｓｕｂｆｒａｍｅ＃０に位置し（又は対応するサブフレームで送信され）、ａＮＰＳＳとａＮＳＳＳは奇数番目の無線フレームで互いに重畳しないように交互に位置する（又は対応するサブフレームで送信される）。この時、ａＮＰＳＳとａＮＳＳＳの送信順序を互いに入れ替えることができる。
【０２３２】
アンカーキャリアにおいてＮＰＳＳとＮＳＳＳ及びＮＰＢＣＨ、ＳＩＢ１−ＮＢの送信サブフレームは各々ｓｕｂｆｒａｍｅ＃５、９、０、４に対応する。これは、従来の無線通信システム（例：ＬＴＥシステム）でＭＢＳＦＮサブフレームとして設定できないサブフレーム位置に該当する。
【０２３３】
但し、ＮＢ−ＩｏＴ端末のセル検出性能とシステム情報（例：ＭＩＢ−ＮＢ、ＳＩＢ１−ＮＢ）検出性能の向上のためにＮＰＳＳとＮＳＳＳ及びＮＰＢＣＨ、ＳＩＢ１−ＮＢをさらに送信するにおいて、ｎｏｎ−ＭＢＳＦＮサブフレームであるｓｕｂｆｒａｍｅ＃０、４、５、９では十分ではない。かかる場合、ＮＰＳＳとＮＳＳＳは非アンカーキャリアでさらに送信されることができ、この時、非アンカーキャリアでさらに送信されるＮＰＳＳ及びＮＳＳＳは各々ａＮＰＳＳとａＮＳＳＳである。
【０２３４】
この時、ａＮＰＳＳとａＮＳＳＳが送信される非アンカーキャリアでもｎｏｎ−ＭＢＳＦＮサブフレーム位置でのみａＮＰＳＳとａＮＳＳＳが送信できると仮定すると、ＮＢ−ＩｏＴ端末の周波数同調時間を保証するためのギャップ区間を考慮して、以下のような具体的な方法が考えられ。以下、表１２及び表１３の構造に対する具体的な特徴について説明する。
【０２３５】
４.２.１.表１２の構造による特徴
【０２３６】
セル検出過程において、まず端末はＮＰＳＳを検出し、その後ＮＳＳＳを検出する。この時、アンカーキャリアでＮＰＳＳの受信電力が低い場合、端末は非アンカーキャリアのａＮＰＳＳをさらに受信して性能を向上させることができる。アンカーキャリアのＮＰＳＳと非アンカーキャリアのａＮＰＳＳが送信されるサブフレーム位置が互いに連続する場合、ＮＢ−ＩｏＴ端末は短い時間にアンカーキャリアと非アンカーキャリアの周波数同調を行う必要がある。これはＮＢ−ＩｏＴ端末の価格を上げる要因になる。
【０２３７】
従って、ＮＰＳＳとａＮＰＳＳの間に十分な時間ギャップを保証して、ＮＢ−ＩｏＴ端末に対する周波数同調時間の要求条件を緩和することができる。
【０２３８】
同様に、ＮＳＳＳとａＮＳＳＳの間に十分な時間ギャップを保証するために、ｓｕｂｆｒａｍｅ＃０、４、５、９のうち、ｓｕｂｆｒａｍｅ＃４にａＮＳＳＳが割り当てられることができる。但し、ｓｕｂｆｒａｍｅ＃４の位置に送信されるａＮＳＳＳは全ての無線フレーム内のｓｕｂｆｒａｍｅ＃４で送信されるか、奇数又は偶数番目の無線フレーム内のｓｕｂｆｒａｍｅ＃４にのみ送信されることもできる。
【０２３９】
４.２.２.表１３の構造による特徴
【０２４０】
上述したように、従来の無線通信システム（例：ＬＴＥシステム）において基地局は、ｓｕｂｆｒａｍｅ＃０、４、５、９を除いたサブフレームをＭＢＳＦＮサブフレームとして活用できる。よって、本発明によるａＮＰＳＳとａＮＳＳＳはいずれもｓｕｂｆｒａｍｅ＃０に位置付けることができる（又はｓｕｂｆｒａｍｅ＃０により送信できる）。
【０２４１】
ここで、ａＮＰＳＳとａＮＳＳＳの送信順序が入れ替えられると、アンカーキャリアにおけるＮＳＳＳ送信後に続く他の無線フレームのｓｕｂｆｒａｍｅ＃０でＮＳＳＳが送信されることができる。但し、この場合、該当信号を受信するためのＮＢ−ＩｏＴ端末の周波数チューニングギャップ（ｆｒｅｑｕｅｎｃｙ ｔｕｎｉｎｇ ｇａｐ）を考慮した時、このような動作は好ましくない。
【０２４２】
よって、ＮＳＳＳとａＮＳＳＳの間に十分な周波数同調ギャップを保証するための案として、ａＮＰＳＳとａＮＳＳＳの送信無線フレームは表１３のように構成できる。
【０２４３】
上述した表１２及び表１３の構成において、非アンカーキャリアで送信されるａＮＰＳＳとａＮＳＳＳは各々従来の無線通信システムのアンカーキャリアで送信されるＮＰＳＳ及びＮＳＳＳと同一であるか、又は後述する方法で構成される。
【０２４４】
４.３.第３提案（ａＮＰＳＳ構成）
【０２４５】
３ＧＰＰ ＴＳ ３６.２１１の１０.２.７.１に定義されたＮＰＳＳのシーケンスは以下の数式の通りである。参考として、以下の数式は上記数１と同じである。
【０２４６】
【数４】
2020516125.tif 000029
【０２４７】
ここで、ｕの値が５に定義されることにより、数４は長さ１１とルート５を有するＺａｄｏｆｆ−Ｃｈｕシーケンスを意味する。
【０２４８】
Ｚａｄｏｆｆ−Ｃｈｕシーケンスは１１ＯＦＤＭシンボルにわたって送信され、各ＯＦＤＭシンボルは数４のように、３ＧＰＰ ＴＳ ３６.２１１のＴａｂｌｅ １０.２.７.１.１−１に定義されたカバーコードＳ（ｌ）（表６を参照）をＺａｄｏｆｆ−Ｃｈｕシーケンスに乗じて構成される。このような構成は全てのＮＢ−ＩｏＴアンカーキャリアのＮＰＳＳに同様に適用される。
【０２４９】
もし追加されるａＮＰＳＳが数４に定義された従来のＮＰＳＳと同じ信号で構成される場合、ＮＢ−ＩｏＴ端末は検出されたシーケンスがＮＰＳＳとａＮＰＳＳの両方を送信する基地局から受信されたものであるか、又は互いに異なる送信時間を有する基地局からＮＰＳＳを受信したものであるかを区分できない問題があり得る。
【０２５０】
従って、ａＮＰＳＳは既存のＮＰＳＳとは異なるように構成される必要があり、またＮＰＳＳのＰＡＰＲより高くなく、ＮＢ−ＩｏＴ端末の具現化及び演算複雑度の増加を最小化する方法で設計する必要がある。これを達成するために、本発明では既存のＮＰＳＳの構造をそのまま使用し、Ｚａｄｏｆｆ−ＣｈｕシーケンスのルートインデックスとカバーコードＳ（ｌ）を変形してａＮＰＳＳを設計する方法について詳しく説明する。
【０２５１】
４.３.１. Ｚａｄｏｆｆ−Ｃｈｕシーケンス
【０２５２】
本発明で提案するａＮＰＳＳは、数４に適用されたｕの値としては６を適用できる。
【０２５３】
一般的には、長さＬを有するＺａｄｏｆｆ−ＣｈｕシーケンスのルートがｕとＬ−ｕである場合、２つのシーケンスは互いに複素共役（ｃｏｍｐｌｅｘ ｃｏｎｊｕｇａｔｅ）の関係にあるので、サンプルごとに１回の虚数乗法（ｃｏｍｐｌｅｘ ｍｕｌｔｉｐｌｉｃａｔｉｏｎ）により相互相関を算出できるという長所がある。また、これにより従来のＮＰＳＳと同一のＰＡＰＲ特性を達成でき、長さＬのシーケンス内で既存のＮＰＳＳと相互相関値は
2020516125.tif 000030
のように低い値を有することができるという長所がある。
【０２５４】
これにより、Ｌｅｇａｃｙ ＮＢ−ＩｏＴ端末はａＮＰＳＳを検出できない確率が高く、ａＮＰＳＳを用いるＮＢ−ＩｏＴ端末はＮＰＳＳに対する相互相関モジュールを再活用することができる。
【０２５５】
また、上記構成は初期セルの検索時に該当アンカーキャリアで基地局がａＮＰＳＳを送信するか否かを分からない場合、複雑度の側面で特に長所がある。また、ａＮＰＳＳが従来の無線通信システムで定義されたシーケンスと同じ構造を有するので、ＮＰＳＳとａＮＰＳＳに対する各々の相互相関値を累積するにおいて、同じ加重値を適用できるという長所がある。
【０２５６】
４.３.２.カバーコード
【０２５７】
ＮＢ−ＩｏＴ端末は、数４に定義されたカバーコードＳ（ｌ）の特性を用いて、ＮＰＳＳ検出に自己相関特性に基づくセルサーチを行うことができる。このような端末の具現化を考慮すると、上述したｒｏｏｔ ｕ＝６が適用されたａＮＰＳＳは、既存のＮＰＳＳのｒｏｏｔ ｕ＝５との区分が難しい。
【０２５８】
よって、ＮＰＳＳのカバーコードと相互相関特性の低い新しいカバーコードをａＮＰＳＳに適用する必要がある。
【０２５９】
図１４は従来のＮＰＳＳのカバーコードによるＮＰＳＳの自己相関特性を示す図であり、図１５乃至図１７は本発明によるａＮＰＳＳに対して提案するカバーコードを適用した場合の自己相関特性を示す図である。
【０２６０】
より具体的には、図１４は従来のＮＰＳＳに対してカバーコードＳ＝［１ １ １ １ −１ −１ １ １ １ −１ １］が適用された場合のＮＰＳＳの自己相関特性を示し、図１５は本発明で提案するａＮＰＳＳに対してカバーコードＳ＝［１ −１ １ −１ １ −１ １ −１ １ −１ １］が適用された場合のａＮＰＳＳの自己相関特性を示し、図１６は本発明で提案するａＮＰＳＳに対してカバーコードＳ＝［−１ −１ １ −１ −１ −１ １ −１ １ １ １］が適用された場合のａＮＰＳＳの自己相関特性を示し、また図１７は本発明で提案するａＮＰＳＳに対してカバーコードＳ＝［１ １ −１ １ −１ −１ １ −１ １ −１ １］が適用された場合のａＮＰＳＳの自己相関特性を示す。
【０２６１】
図１４乃至図１７において、‘ｌｅｇａｃｙ ＮＢ−ＩｏＴ’に該当するグラフはＮＢ−ＩｏＴ端末が従来のＮＰＳＳカバーコードを使用して自己相関を推定した場合を示し、‘Ｐｒｏｐｏｓｅｄ ＮＢ−ＩｏＴグラフ’は図ごとに新しく提案されたカバーコードを適用して自己相関を推定した場合を示す。また、図１４乃至図１７において、自己相関
2020516125.tif 000031
は３ＧＰＰ論文のＲ１−１６１９８１の５.２に定義したＳｔｅｐ−３の
2020516125.tif 000032
を示す。
【０２６２】
図１４に示したように、ＮＰＳＳのカバーコードを活用する場合、自己相関値は正確なタイミングである特定の
2020516125.tif 000033
で最大値を有し、該当タイミングの付近のタイミングについて狭い領域でピーク値を有する。また最大値を含むピークを除いたサイドピーク値は相対的に低い値を有する。
【０２６３】
反面、図１５に適用されたカバーコードの場合、サイドピーク値をほぼ有さないが、正確なタイミングの近所のタイミングで広い領域で（広い）ピークを有するという短所がある。この場合、端末のタイミング推定性能に劣化が起こることができる。
【０２６４】
図１６に適用されたカバーコードの場合、正確なタイミング位置で狭いピークを有するが、互いに隣接する領域にわたって相対的に高いサイドピーク値を有する。
【０２６５】
図１７においては、正確なタイミング位置に図１４のような狭いピークを有し、図１６より低いサイドピークを有することが分かる。またｌｅｇａｃｙ ＮＢ−ＩｏＴ端末のＮＰＳＳ検出に対してほぼ影響を与えない自己相関特性（図１３のＮＰＳＳ自己相関の最大値と比較して約８倍低い自己相関値）を有することを確認できる。
【０２６６】
よって、本発明ではａＮＰＳＳのカバーコードＳ（ｌ）として［１ １ −１ １ −１ −１ １ −１ １ −１ １］を適用することを提案する。
【０２６７】
４.３.３.小結
【０２６８】
上記４.３.１.及び４.３.２.で提案したＺａｄｏｆｆ−ｃｈｕシーケンスのｒｏｏｔ（ｕ＝６）とＳ＝［１ １ −１ １ −１ −１ １ −１ １ −１ １］は、同時に本発明で提案するａＮＰＳＳに適用できる。
【０２６９】
又は上記４.３.１.及び４.３.２.で提案したＺａｄｏｆｆ−ｃｈｕシーケンスのｒｏｏｔ（ｕ＝）とＳ＝［１ １ −１ １ −１ −１ １ −１ １ −１ １］は、従来ＮＰＳＳのｒｏｏｔ（ｕ＝５）及び従来のカバーコードと交差して適用できる。具体的には、本発明によるａＮＰＳＳは、従来のＮＰＳＳ（ｕ＝５）と提案したＳ＝［１ １ −１ １ −１ −１ １ −１ １ −１ １］が結合して構成されるか、又は従来のＮＰＳＳのカバーコードと提案したｒｏｏｔ（ｕ＝６）が結合して構成される。
【０２７０】
４.４.第４提案（ａＮＳＳＳ構成）
【０２７１】
３ＧＰＰ ＴＳ ３６.２１１の１０.２.７.２に定義されたＮＰＳＳのシーケンスは、以下の数式の通りである。参考として、以下の数は上述した数２と同一である。
【０２７２】
【数５】
2020516125.tif 000034
【０２７３】
この時、数５に適用されたθfは以下の数のように定義される。
【０２７４】
【数６】
2020516125.tif 000035
【０２７５】
ここで、
2020516125.tif 000036
は数５のｑとｕで決定され、フレーム番号nfは
2020516125.tif 000037
と定義される。また、ＮＰＳＳとは異なり、１つのＯＦＤＭシンボルがカバーコードを変更して１１回のＯＦＤＭシンボル区間の間に繰り返してＮＳＳＳが送信されず、ＮＳＳＳは数５で定義されたシーケンスが１１ＯＦＤＭシンボル区間の間に周波数優先マッピング方式で１３２個のＲＥ（Ｒｅｓｏｕｒｃｅ Ｅｌｅｍｅｎｔ）に整列されて送信される。
【０２７６】
ＮＳＳＳのシーケンスを構成する情報のうち、ｕと
2020516125.tif 000038
を変形してａＮＳＳＳを定義する場合、ｌｅｇａｃｙ ＮＢ−ＩｏＴ端末のＮＳＳＳ検出に影響を及ぼすことができる。よって、本発明では、３ＧＰＰ ＴＳ ３６.２１１のＴａｂｌｅ １０.２.７.２.１−１に定義されたＮＳＳＳの
2020516125.tif 000039
（表８を参照）をさらに定義する方法、３ＧＰＰ ＴＳ ３６.２１１の１０.２.７.２.２に定義されたＮＳＳＳシーケンスマッピング方法を変更する方法などによってａＮＳＳＳの構成方法を提案する。
【０２７７】
但し、
2020516125.tif 000040
はＮＢ−ＩｏＴ端末の具現化方法によって新しい値を追加する場合にも性能の影響が大きくないので、本発明ではａＮＳＳＳで
2020516125.tif 000041
をさらに定義する方法も共に提案する。
【０２７８】
４.４.１. θｆを追加する方法
【０２７９】
数６から分かるように、
2020516125.tif 000042
は２０ｍｓｅｃごとに０、３３／１３２、６６／１３２、９９／１３２の値を有する。
【０２８０】
反面、本発明で提案するａＮＳＳＳは、
2020516125.tif 000043
として３３／２６４、９９／２６４、１６５／２６４、２３１／２６４を２０ｍｓｅｃごとに循環して有するか、又は４つの値の一部の集合に含まれた値を循環して有するか、又は４つの値のうちの特定の値に固定される。
【０２８１】
図１８は従来のＮＳＳＳを使用する場合の相互相関値（Ｌｅｇａｃｙ ＮＢ−ＩｏＴ ｗｉｔｈ ＮＳＳＳ）、
2020516125.tif 000044
として３／２６４、９９／２６４、１６５／２６４、２３１／２６４のうちの１つの値を適用したａＮＳＳＳを受信した場合、ａＮＳＳＳに適用された
2020516125.tif 000045
による相互相関値（ｐｒｏｐｏｓｅｄ ＮＢ−ＩｏＴ ｗｉｔｈ ａＮＳＳＳ）及びＮＳＳＳに適用された
2020516125.tif 000046
による相互相関値（ｐｒｏｐｏｓｅｄ ＮＢ−ＩｏＴ ｗｉｔｈ ＮＳＳＳ）の特性を示す図である。
【０２８２】
図１８に示したように、ＮＳＳＳで使用された
2020516125.tif 000047
と他の
2020516125.tif 000048
値を使用したａＮＳＳＳの相互相関値は、互いに干渉が大きくないことが分かる。このような相互相関値の観察によりａＮＳＳＳの
2020516125.tif 000049
は｛０、３３／１３２、６６／１３２、９９／１３２｝ではない値の集合で選択されることができる。但し、上記構成によれば、従来の
2020516125.tif 000050
のみを使用する場合に比べて、ＮＢ−ＩｏＴ端末でシーケンス生成のためにより多いメモリが必要であるという短所がある。
【０２８３】
４.４.２. ｂｑ（ｍ）を追加する方法
【０２８４】
ＮＳＳＳのＺａｄｏｆｆ−Ｃｈｕシーケンスを変更せず、ＴＳ３６.２１１のＴａｂｌｅ１０.２.７.２.１−１に定義されたＮＳＳＳの
2020516125.tif 000051
のみを変更又は追加してａＮＳＳＳを構成することができる。この時、Ｌｅｇａｃｙ ＮＢ−ＩｏＴ端末は変更又は追加された
2020516125.tif 000052
の検出を試みず、ａＮＳＳＳ検出を試みるＮＢ−ＩｏＴ端末はＮＳＳＳ検出のために使用された虚数乗法（ｃｏｍｐｌｅｘ ｍｕｌｔｉｐｌｉｃａｔｉｏｎ）の結果を再活用できるという長所がある。
【０２８５】
従って、ａＮＳＳＳのために使用される
2020516125.tif 000053
には、既存のＮＳＳＳの
2020516125.tif 000054
に使用された１２８次のアダマール行列（ｈａｄａｍａｒｄ ｍａｔｒｉｘ）の１、３２、６４、１２８列を除いた値１６、４８、８０、１１２の列がさらに使用されることができる。
【０２８６】
４.４.３.リソースマッピング方法を変形する方法
【０２８７】
周波数選択的（Ｆｒｅｑｕｅｎｃｙ ｓｅｌｅｃｔｉｖｅ）環境では、ＮＳＳＳのシーケンス相互相関特性が悪くなることができる。よって、ＮＳＳＳとａＮＳＳＳの相互相関特性をリソースマッピング過程でランダム化（ｒａｎｄｏｍｉｚａｔｉｏｎ）する方法が考えられる。
【０２８８】
図１９乃至図２２は本発明に適用可能なリソースマッピング方法を簡単に示す図であり、図２３乃至図２６は図１９乃至図２２に示した各リソースマッピング方式によるｌｅｇａｃｙ ＮＢ−ＩｏＴ端末のＮＳＳＳ Ｚａｄｏｆｆ−Ｃｈｕ相互相関特性を示す図である。
【０２８９】
図１９乃至図２２におけるリソースマッピング方法は、ｌＳ番目のＯＦＤＭシンボルのｋＳ番目のＲＥ位置から周波数優先マッピング（ｆｒｅｑｕｅｎｃｙ−ｆｉｒｓｔ ｍａｐｐｉｎｇ）又は時間優先マッピング（ｔｉｍｅ−ｆｉｒｓｔ ｍａｐｐｉｎｇ）方式でＮＳＳＳ又はａＮＳＳＳを割り当て、ｌｅ番目のＯＦＤＭシンボルのｋｅ番目のＲＥ位置まで実線と点線の矢印に従って順にリソースをマッピングする。
【０２９０】
図１９は既存のＮＳＳＳリソースマッピング方法を示し、図２０（Ａｌｔ.１−１）は図１９のリソースマッピング方式において開始ＯＦＤＭシンボル位置を特定の値だけ移動させた方法を示す。図２１（Ａｌｔ.２−１）は図１９のリソースマッピング順を逆に行う方法を示す。図２２（Ａｌｔ.２−２）は図１９のリソースマッピング方法と同じ開始位置と終了位置を有するが、時間優先マッピング（ｔｉｍｅ−ｆｉｒｓｔ ｍａｐｐｉｎｇ）を適用する方法を示す。
【０２９１】
図２３に示したように、ｌｅｇａｃｙ ＮＢ−ＩｏＴ端末のＮＳＳＳ Ｚａｄｏｆｆ−Ｃｈｕシーケンスの相互相関特性は、ｕとｕ’が同じ場合にはシーケンスの長さ（ｓｅｑｕｅｎｃｅ ｌｅｎｇｔｈ）だけの値を有し、そうではない場合には、相対的に低い相互相関特性を有する。
【０２９２】
反面、図２４に示したように、図２０によるリソースマッピング方式（Ａｌｔ.１−１）によれば、一部のｕとｕ’の組み合わせにおいて、既存のＮＳＳＳ Ｚａｄｏｆｆ−Ｃｈｕシーケンスと相互相関特性が約５０％程度に該当する値を有することを確認できる。また、図２５に示したように、図２１によるリソースマッピング方式（Ａｌｔ.２−１）によれば、大部分のｕとｕ’の組み合わせにおいて、既存のＮＳＳＳ Ｚａｄｏｆｆ−Ｃｈｕシーケンスと低い相互相関値を示すが、特定のｕとｕ’の組み合わせでは、約７０％以上の相互相関値を有することが確認できる。反面、図２６に示したように、図２２によるリソースマッピング方式（Ａｌｔ.２−２）によれば、全てのｕとｕ’の組み合わせにおいて、既存のＺａｄｏｆｆ−Ｃｈｕシーケンスと相対的に低い相互相関値を有することが確認できる。
【０２９３】
従って、本発明ではａＮＳＳＳのリソースマッピング方式で図２２によるリソースマッピング方式を適用する構成を提案する。この時、提案するＡｌｔ.２−２方式は、時間優先のリソースマッピングを特徴とし、リソースマッピングの開始と終了ＲＥ位置は特定の値だけ循環移動できる。
【０２９４】
さらに、４.４.１.で説明した
2020516125.tif 000055
を追加する方法は、上記４.４.２.で説明した
2020516125.tif 000056
を追加する方法と必ず同時に適用される必要はない。また、ａＮＳＳＳに対して４.４.３.で提案したリソースマッピング方式ではない他の方法のリソースマッピング方式が適用されることもできる。
【０２９５】
また、４.４.２.で提案された
2020516125.tif 000057
の１２８アダマール行列の列の値は、４.４.３.で提案したＡｌｔ.２−２リソースマッピング方式と結合して同時に適用されることができる。また、既存のＮＳＳＳの
2020516125.tif 000058
とＡｌｔ.２−２のリソースマッピング方式が結合されて同時に適用されることもできる。また既存のＮＳＳＳのリソースマッピング方式と提案する
2020516125.tif 000059
の１２８アダマール行列の列の値が結合されて同時に適用されることもできる。
【０２９６】
４.５.提案するａＮＰＳＳ及び／又はａＮＳＳＳの送信方法
【０２９７】
本発明で提案するＮＰＳＳとＮＳＳＳ（即ち、ａＮＰＳＳ及びＮＳＳＳ）の構造及び送信位置はＮＰＳＳのみが追加送信されるか、又はＮＳＳＳのみが追加送信される場合にも独立して適用できる。即ち、本発明で提案したＮＰＳＳ及びＮＳＳＳではない新しいシーケンスを有するＮＰＳＳとＮＳＳＳが追加送信される場合にも、該当シーケンスが追加送信されるサブフレーム及び無線フレームの位置は本発明で提案する特徴に従うことができる。
【０２９８】
上記提案されたａＮＰＳＳとａＮＳＳＳが検出される場合、ＮＢ−ＩｏＴ端末はシステム情報（例：ＭＩＢ−ＮＢとＳＩＢ１−ＮＢ情報）もさらに送信可能であると判断できる。即ち、ＮＢ−ＩｏＴ端末はａＮＰＳＳとａＮＳＳＳの検出有無によって既存のＭＩＢ−ＮＢとＳＩＢ１−ＮＢの検出と共に、追加送信されるＭＩＢ−ＮＢとＳＩＢ１−ＮＢの追加検出を行うことができる。又は、逆に、システム情報の更なる情報提供があるセルであると判断される場合、ＮＢ−ＩｏＴ端末は該当セルのａＮＰＳＳとａＮＳＳＳの送信有無もさらに判断することができる。
【０２９９】
これは、一般的にセルサーチとシステム情報獲得（Ｓｙｓｔｅｍ ｉｎｆｏｒｍａｔｉｏｎ ａｃｑｕｉｓｉｔｉｏｎ）の最大通達距離は最大限同じように設計されるので、セルサーチに使用される同期信号とシステム情報を伝達するチャネルの間の改善（ｅｎｈａｎｃｅｍｅｎｔ）有無を互いに参照することができる。
【０３００】
本発明において、基地局はａＮＰＳＳとａＮＳＳＳをＮＰＳＳ及びＮＳＳＳと共に常に周期的に送信しない。即ち、基地局は必要によって特定時間の間にａＮＰＳＳとａＮＳＳＳを送信する。
【０３０１】
また、ａＮＰＳＳとａＮＳＳＳの周期的又は非周期的な送信の有無は互いに独立して決定される。基地局はＮＢ−ＩｏＴ端末の測定などの特定の動作のために、ａＮＰＳＳとａＮＳＳＳの送信に関連する情報（例えば、送信周期及び区間）を別に設定する。ＮＢ−ＩｏＴ端末がａＮＰＳＳとａＮＳＳＳの送信有無を把握できない場合（例：ＭＩＢ−ＮＢ又はＳＩＢ１−ＮＢなどのシステム情報及び測定設定情報を得ていない状態）、ＮＢ−ＩｏＴ端末はａＮＰＳＳとａＮＳＳＳをブラインド検出しなければならない。この時、基地局は、特定の条件を満たす場合についてａＮＰＳＳとａＮＳＳＳの送信を開始又は中断する。但し、ａＮＰＳＳとａＮＳＳＳに基づいて測定などを行う端末の安定した動作のために、基地局はａＮＰＳＳとａＮＳＳＳの送信開始又は中断をセル内の一部又は全体の端末に知らせることができる。
【０３０２】
本発明で提案する技法は、ＮＢ−ＩｏＴシステムだけではなく、ＬＴＥシステム帯域幅の一部を活用するｅＭＴＣ（ｅｎｈａｎｃｅｄ Ｍａｃｈｉｎｅ ｔｙｐｅ Ｃｏｍｍｕｎｉｃａｔｉｏｎ）のようなシステムにも同様に適用できる。特に、提案されたａＮＰＳＳ及び／又はａＮＳＳＳの概念のようにｅＭＴＣでセルサーチとシステム情報獲得の遅延改善（Ｓｙｓｔｅｍ ｉｎｆｏｒｍａｔｉｏｎ ａｃｑｕｉｓｉｔｉｏｎ ｄｅｌａｙ ｅｎｈａｎｃｅｍｅｎｔ）のために新しい同期信号又は既存のＰＳＳ及び／又はＳＳＳが変形されて送信される場合、これと共にシステム情報に関する情報（例：ＭＩＢ及び／又はＳＩＢ１−ＢＲ）も該当セルでさらに送信されることを指示できる。逆の場合も同様である。
【０３０３】
即ち、端末がセルサーチ過程でセルサーチ改善のための同期信号を検出できなかったが、続く過程で改善したシステム情報がさらに送信される場合、端末は該当セルで改善した同期信号が送信されると期待することができる。特に、ｅＭＴＣ端末がセルサーチ性能の向上のためにＮＰＳＳ及び／又はＮＳＳＳをさらに受信する場合、該当セルでＮＢ−ＩｏＴサービスを支援するか否かによって以下のように２つの場合に区分できる。
【０３０４】
（１）第一に、該当セルでｅＭＴＣとＮＢ−ＩｏＴサービスを同時に支援する場合
【０３０５】
ｅＭＴＣ端末は該当セルでＮＢ−ＩｏＴサービスのために送信されるＮＰＳＳ及び／又はＮＳＳＳをさらに受信してセルサーチ性能の向上を期待できる。この時、一部のサブフレームでは無線通信システム（例：ＬＴＥ）のセルサーチのための信号とＮＢ−ＩｏＴのセルサーチのための信号が同時に送信されることができる（例：ｓｕｂｆｒａｍｅ＃５の位置で基地局はＬＴＥ ＰＳＳ／ＳＳＳとＮＢ−ＩｏＴ ＮＰＳＳを同時に送信することができる）。この場合、ｅＭＴＣ端末は、これらのうち、どの信号を選択して受信するかを直接決定するか、又は基地局から指示された動作に従うことができる。
【０３０６】
（２）第二に、該当セルでｅＭＴＣサービスを支援するが、ＮＢ−ＩｏＴサービスは支援しない場合
【０３０７】
該当セルでＮＢ−ＩｏＴをサービスしない場合、基地局はｅＭＴＣ端末のセルサーチ性能の向上のために、さらにＮＰＳＳとＮＳＳＳを送信することができる。この時、他のＮＢ−ＩｏＴ端末が該当ＮＰＳＳとＮＳＳＳを受信して該当セルでＮＢ−ＩｏＴをサービスすると誤認することを防止するために、基地局は既存のＮＰＳＳ及びＮＳＳＳとは異なる信号を送信する必要がある。
【０３０８】
よって、基地局はｅＭＴＣ端末のセルサーチ性能の向上のために、さらに送信するＮＰＳＳ及びＮＳＳＳとして本発明で提案するａＮＰＳＳ及びａＮＳＳＳを使用することができる。この時、ａＮＰＳＳとａＮＳＳＳは、上記提案したサブフレーム位置とは異なる位置に送信されることができ、アンカーキャリアではない非アンカーキャリアで送信されることもできる。また、ａＮＰＳＳ及びａＮＳＳＳは、ＬＴＥセルＩＤとは異なるＮＢ−ＩｏＴセルＩＤが設定されて送信されることができ、この場合、ＬＴＥセルＩＤとＮＢ−ＩｏＴセルＩＤに対するマッピング方式が３ＧＰＰ標準技術などにより定義されることができる。
【０３０９】
但し、上記のようにａＮＰＳＳ及びａＮＳＳＳが実際ＮＢ−ＩｏＴ端末をサービスするために活用されない場合、ａＮＰＳＳ及び／又はaＮＳＳはＮＲＳを含まず送信されることができる。
【０３１０】
また、本発明で提案するａＮＰＳＳとａＮＳＳＳは、ＮＢ−ＩｏＴ及びｅＭＴＣのような狭帯域システムのセルサーチ性能の向上などの用途だけではなく、システム情報更新などのような指示信号としても活用できる。ここで、システム情報更新とは、セルから端末に基本的に又はさらに伝達されるセルの情報（例：ＭＩＢ及びＳＩＢなど）を意味する。
【０３１１】
該当情報が変更される場合、一般的に基地局はページング指示又はページングメッセージなどにより、端末にシステム情報を更新することを指示する。一般的には、ＬＴＥシステムでは、特定区間でＰ−ＲＮＴＩ（Ｐａｇｉｎｇ−ｒａｄｉｏ Ｎｅｔｗｏｒｋ Ｔｅｍｐｏｒａｒｙ Ｉｄｅｎｔｉｆｉｅｒ）などでスクランブルされたＰＤＣＣＨ又はＭＰＤＣＣＨ、ＮＰＤＣＣＨによりシステム情報の更新（又は変更）有無を指示する。
【０３１２】
但し、このような動作はＮＢ−ＩｏＴ又はｅＭＴＣのように安価、長いバッテリー寿命を特徴とするシステムの電力消費の観点では効果的ではない。特に、ＲＲＣ（ｒａｄｉｏ Ｒｅｓｏｕｒｃｅ ｃｏｎｔｒｏｌ）ＩＤＬＥ状態で長く使用するか、又はＲＲＣ ＣＯＮＮＥＣＴＥＤ状態で長時間のＤＲＸ（Ｄｉｓｃｏｎｔｉｎｕｏｕｓ Ｒｅｃｅｐｔｉｏｎ）を行う場合、端末がＰＤＣＣＨ又はＭＰＤＣＣＨ、ＮＰＤＣＣＨなどを間欠的にデコーディングするために時間／周波数の同期化を行うなどの先行動作を考慮した時、時間／周波数の同期化により剛健なシーケンス基盤のページング指示子又はシステム情報更新を知らせる方法が効果的である。
【０３１３】
このような特性を考慮した時、基地局は同期化のために設計されたＮＰＳＳ、ＮＳＳＳを一部変形して指示信号として活用するか、又は既存のＮＰＳＳ及びＮＳＳＳと区分するために上記提案されたａＮＰＳＳ及び／又はａＮＳＳＳを使用することができる。この時、ページング指示子又はシステム情報更新有無に関する情報検出の誤警報（ｆａｌｓｅ ａｌａｒｍ）を減らすために、ａＮＰＳＳ及び／又はａＮＳＳＳのセルＩＤ、無線フレーム番号情報が一部の情報に制限されてページング指示子として活用されることができる。
【０３１４】
この時、ａＮＰＳＳとａＮＳＳＳは、上記提案された一部のサブフレームの位置で常に送信される必要はなく、ページング機会（ｐａｇｉｎｇ ｏｃｃａｓｉｏｎ）などに連携して特定の位置に制限されるか、或いは周期的又は非周期的に送信されることができる。さらに、ａＮＰＳＳ及びａＮＳＳＳがページング指示子として活用される場合、これを検出した端末はシステム情報更新又は特定の区間の間にシステム情報更新に関連する動作を行わないように定義されることができる。
【０３１５】
また、このような用途にａＮＰＳＳとａＮＳＳＳが活用される場合、同じ基地局から送信されるａＮＰＳＳとａＮＳＳＳは毎回同じ信号又はシーケンスではない。即ち、セルサーチの用途に活用される場合、ａＮＰＳＳとａＮＳＳＳは送信ごとに同じ情報（例えば、セルＩＤ及び無線フレーム数）を伝達する必要があるが、ページング指示子のような用途に活用される場合には、ａＮＰＳＳとａＮＳＳＳはａＮＰＳＳ及び／又はａＮＳＳＳ送信ごとに異なる情報を伝達することができる。
【０３１６】
上記目的（ページング指示子又はシステム情報更新などを知らせる用途）でａＮＰＳＳとａＮＳＳＳが使用される場合、ａＮＰＳＳとａＮＳＳＳは各々連続する下りリンクサブフレームで送信されることができる。この時、ａＮＰＳＳとａＮＳＳＳの繰り返し送信回数は互いに異なる。例えば、時間順にａＮＰＳＳとａＮＳＳＳの送信はａＮＰＳＳをＮ回送信後、ａＮＳＳＳをＭ回送信するように設定できる。この時、ＮとＭは基地局により設定される。一例として、Ｎが０より大きい値を有する場合にも、Ｍは０と設定されることができる。このような場合は、上記目的で使用される情報量が多くない場合に対応する。
【０３１７】
さらに、上記目的として使用されるＮＳＳＳについては、ルートインデックス値として５ではない他の値を使用できる。又は、上記目的に必要な情報量によってａＮＳＳＳについては２つ以上のルートインデックスを使用することができる。 
【０３１８】
また、ａＮＰＳＳのカバーコードとしては、本発明で提案したカバーコードではない他のカバーコードをさらに使用することができる。
【０３１９】
また、ａＮＰＳＳがＮ回繰り返して送信される場合にも、ＮＰＳＳは毎回ルートインデックス及び／又はカバーコード及び／又はリソースマッピングを変更して繰り返して送信することができる。
【０３２０】
もし、ａＮＰＳＳで十分な情報量が適用されないと、ａＮＳＳＳがＭ回追加送信されることができる。この時、Ｍ回繰り返して送信されるａＮＳＳＳも
2020516125.tif 000060
を変更して繰り返して送信することができる。
【０３２１】
ここで、ａＮＰＳＳがＮ回繰り返して送信される間にルートインデックス及び／又はカバーコード及び／又はリソースマッピングを変更して送信される場合、Ｎ回の区間の間に変更されるルートインデックス及び／又はカバーコード及び／又はリソースマッピング方法は、“セルＩＤ”及び／又は“ａＮＰＳＳ送信の開始又は終了サブフレーム及び／又は無線フレーム及び／又はＳＦＮ（Ｓｕｐｅｒ Ｆｒａｍｅ Ｎｕｍｂｅｒ）”及び／又は“ＵＥのグループＩＤ情報”（ここで、グループＩＥは同じページングチャネルの受信を期待する端末が特定グループに区分された場合に該当ＵＥが属したグループのＩＤと同一であることができる）及び／又は“ＰＯ（Ｐａｇｉｎｇ Ｏｃｃａｓｉｏｎ）から誘導された特定の値”などにより生成されたランダムシーケンス（ｒａｎｄｏｍ ｓｅｑｕｅｎｃｅ）などに基づいて定義されることもできる。
【０３２２】
同様に、ａＮＳＳＳがＭ回繰り返して送信される間に
2020516125.tif 000061
を変更して送信される場合、Ｍ回の区間の間に変更される
2020516125.tif 000062
は、“セルＩＤ”及び／又は“ａＮＰＳＳ及び／又はａＮＳＳＳ送信の開始又は終了サブフレーム及び／又は無線フレーム及び／又はＳＦＮ”及び／又は“ＵＥのグループＩＤ情報”（ここで、グループＩＥは同じページングチャネルの受信を期待する端末が特定グループに区分された場合に該当ＵＥが属したグループのＩＤと同一であることができる）及び／又は“ＰＯ（Ｐａｇｉｎｇ Ｏｃｃａｓｉｏｎ）から誘導された特定の値”などにより生成されたランダムシーケンスなどに基づいて定義される。
【０３２３】
さらに、ａＮＰＳＳとａＮＳＳＳが各々Ｎ回及びＭ回繰り返して送信される場合、各ａＰＳＳＳ及びａＮＳＳＳに対してルートインデックス及び／又はカバーコード及び／又はリソースマッピングを異なるようにするか、
2020516125.tif 000063
を変更して送信する方法が互いに連携されて定義される。
【０３２４】
ランダム化は上記用途に使用されたａＮＰＳＳ及び／又はａＮＳＳＳの送信開始時点及び／又は最後の送信時点の同期（サブフレーム及び／又は無線フレーム及び／又はＳＦＮレベルの）を得るために使用できる。
【０３２５】
もし、（ｅＦ）ｅＭＴＣでも上記のような目的（ページング指示子又はシステム情報更新を知らせる用途及びセルサーチ遅延を向上させる用途）でＰＳＳ及び／又はＳＳＳ構造が使用される場合、本発明で提案したＮＰＳＳリソースマッピング（ｓｅｑｕｅｎｃｅ ｔｏ ＲＥ ｍａｐｐｉｎｇ）変形方法とＮＳＳＳリソースマッピング（ｓｅｑｕｅｎｃｅ ｔｏ ＲＥ ｍａｐｐｉｎｇ）変形方法を同様に適用できる。
【０３２６】
図２７は本発明に適用可能な同期信号の一例を示す図である。
【０３２７】
例えば、ＰＳＳは図２７の６３個の搬送波にマッピングされるＺＣシーケンスの順序は既存のＰＳＳの順序と逆であることができる。この時、ルートインデックスは既存のＰＳＳで使用されていない他のルートインデックスを使用できる。
【０３２８】
このように変形されたＰＳＳをａＰＳＳとする時、ａＰＳＳが複数回繰り返して送信される場合、ＮＰＳＳのような方法でａＰＳＳが送信されるＮ個のＯＦＤＭシンボルに対してカバーコードがさらに適用されることができる。
【０３２９】
カバーコードの一例として、本発明で提案した長さ１１のカバーコードを適用できる。この時、Ｎ個のａＰＳＳがＭ個のサブフレームにわたって繰り返して送信される場合、適用されるカバーコードはサブフレームごとに変化することができる。ここで、サブフレーム単位で繰り返して送信される場合、ａＰＳＳは常に連続して送信されないこともできる。
【０３３０】
ＳＳＳも上記目的に変更して使用できる。以下、説明の便宜上、上記目的に変更されたＳＳＳをａＳＳＳという。
【０３３１】
まず、既存のＳＳＳにおいて、無線フレーム内で２回送信されるＳＳＳの間に２つのＭ−ｓｅｑｕｅｎｃｅ ＲＥマッピングが互いにインターリービングされる順序は互いに異なる。この時、ａＳＳＳは２つのＳＳＳについて全てリソースマッピングを周波数軸で逆に行うことができる。又は、ａＳＳＳのリソースマッピングはＳＳＳのリソースマッピングが周波数軸で一部ＲＥだけ巡回シフトされた形態であることができる。
【０３３２】
１ＯＦＤＭシンボルで構成されるａＳＳＳもＮ’個のＯＦＤＭシンボルで繰り返して構成されることができる。この時、ａＰＳＳと同様に、各ＯＦＤＭシンボルの間にカバーコードが適用される。
【０３３３】
さらに、Ｎ’回繰り返して送信されるａＳＳＳの巡回シフト値は固定値ではないこともできる。Ｎ’回繰り返されたａＳＳＳはＭ’サブフレームの間に繰り返して送信されることができ、ａＰＳＳと同様に、繰り返して送信されるａＳＳＳサブフレームの間にカバーコード及び／又はリソースマッピングの巡回シフト値が変わることができる。
【０３３４】
ここで、ＰＳＳがＮ回繰り返して送信される間にルートインデックス及び／又はカバーコード及び／又はリソースマッピングを変更して送信する場合、Ｎ回の区間の間に変更されるルートインデックス及び／又はカバーコード及び／又はリソースマッピング方法は、“セルＩＤ”及び／又は“ＰＳＳ送信の開始又は終了サブフレーム及び／又は無線フレーム及び／又はＳＦＮ”及び／又は“ＵＥのグループＩＤ情報”（ここで、グループＩＥは同じページングチャネル受信を期待する端末が特定グループに区分された場合に該当ＵＥが属するグループのＩＤと同一であることができる）及び／又は“ＰＯ（Ｐａｇｉｇｉｎ Ｏｃｃａｓｉｏｎ）から誘導された特定の値”などにより生成されたランダムシーケンスなどに基づいて定義される。
【０３３５】
同様の方法で、ＳＳＳがＭ回繰り返して送信される間にインターリービングされる順序及び／又はリソースマッピングを変更して送信される場合、Ｍ回の区間の間に変更されるインターリービング順序及び／又はリソースマッピング方法は、“セルＩＤ”及び／又は“ＰＳＳ及び／又はＳＳＳ送信の開始又は終了サブフレーム及び／又は無線フレーム及び／又はＳＦＮ”及び／又は“ＵＥのグループＩＤ情報”（ここで、グループＩＥは同じページングチャネル受信を期待する端末が特定グループに区分された場合に該当ＵＥが属するグループのＩＤと同一であることができる）及び／又は“ＰＯ（Ｐａｇｉｇｉｎ Ｏｃｃａｓｉｏｎ）から誘導された特定の値”などにより生成されたランダムシーケンスなどに基づいて定義される。
【０３３６】
さらに、ＰＳＳとＳＳＳが各々Ｎ回及びＭ回繰り返して送信される場合、ＰＳＳとＳＳＳについてルートインデックス及び／又はカバーコード及び／又はリソースマッピングを異なるようにするか、インターリービングされる順序及び／又はリソースマッピングを異なるようにして送信する方法は、互いに連携して定義できる。上記ランダム化は、上記用途に使用されたａＮＰＳＳ及び／又はａＮＳＳＳの送信開始時点及び／又は最後の送信時点の同期（サブフレーム及び／又は無線フレーム及び／又はＳＦＮレベル）を得る用途に使用できる。
【０３３７】
提案された全技法において、ＲＥマッピング又はリソースマッピング順序を変更する方法は、該当シーケンスをリソースマッピングする前に、さらにインターリービングを行い、その後、従来と同一のリソースマッピング方法に従う構成を含むことができる。
【０３３８】
一例として、シーケンスのリソースマッピングは従来と同様に記載されるが、リソースマッピング前にインターリービング段階を追加する方式にリソースマッピング方法を変更することは同じ効果を奏する。ここで、“セルＩＤ”及び／又は“ＰＳＳ送信の開始又は終了サブフレーム及び／又は無線フレーム及び／又はＳＦＮ”及び／又は“ＵＥのグループＩＤ情報”（ここで、グループＩＥは同じページングチャネル受信を期待する端末が特定グループに区分された場合に該当ＵＥが属したグループのＩＤと同一であることができる）及び／又は“ＰＯ（Ｐａｇｉｇｉｎ Ｏｃｃａｓｉｏｎ）から誘導された特定の値”などにより基づいて生成された特定の疑似ランダムランダムシーケンス（ｐｓｅｕｄｏ ｒａｎｄｏｍ ｓｅｑｕｅｎｃｅ）によって具体的なインターリービング方式が決定される。
【０３３９】
本発明で提案するａＮＰＳＳとａＮＳＳＳは、ＴＤＤ（Ｔｉｍｅ Ｄｉｖｉｓｉｏｎ Ｄｕｐｌｅｘ）とＦＤＤ（Ｆｒｅｑｕｅｎｃｙ Ｄｉｖｉｓｉｏｎ Ｄｕｐｌｅｘ）の複信モード（ｄｕｐｌｅｘ ｍｏｄｅ）を区分するために使用できる。この時、ａＮＰＳＳ及びａＮＳＳＳは上記第１及び第２提案で説明したサブフレーム位置とは異なる位置で送信されることができる。
【０３４０】
また、ａＮＰＳＳ及びａＮＳＳＳがＴＤＤシステムの同期信号として使用される場合、ＵＬ−ＤＬ設定（ｃｏｎｆｉｇｕｒａｔｉｏｎ）を区分するために、ａＮＰＳＳのルートｕ及び／又はカバーコードを使用できる。一例として、カバーコードは複信モードを区分するために使用され、
ルートｕはＵＬ−ＤＬ設定を区分するために使用される。
【０３４１】
もし、ＵＬ−ＤＬ設定を全て区分可能なルートｕ及び／又はカバーコードの種類が不十分であるか、又は全てのＵＬ−ＤＬ設定を区分できるようにルートｕ及び／又はカバーコードを使用する時に性能劣化が予想される場合、ＵＬ−ＤＬ設定の一部のみを区分できるようにルートｕ及び／又はカバーコードの種類を使用できる。
【０３４２】
即ち、ＵＬ−ＤＬ設定によって（ａ）ＮＰＳＳと（ａ）ＮＳＳＳの相対的な位置が変わることができる場合、（ａ）ＮＰＳＳは（ａ）ＮＳＳＳとの相対的な位置関係に対する区分のみが可能な情報を伝達できれば十分である。
【０３４３】
この時、端末は（ａ）ＮＰＳＳと（ａ）ＮＳＳＳの検出後にＴＤＤ用のＭＩＢ−ＮＢ又はＳＩＢにより実際ＵＬ−ＤＬ設定を得ることができる。
【０３４４】
図２８は本発明による端末の動作を示すフローチャートである。
【０３４５】
まず、本発明では、ＮＢ−ＩｏＴを支援する無線通信システムで定義されたＮＰＳＳ及びＮＳＳＳのような構造を有する新しいＮＰＳＳ（以下、ａＮＰＳＳという）及び新しいＮＳＳＳ（以下、ａＮＳＳＳという）を用いた端末の具体的な動作について説明する。
【０３４６】
まず、端末は基地局からａＮＰＳＳ及びａＮＳＳＳを受信する（Ｓ２８１０）。
【０３４７】
この時、上記新しいＮＰＳＳは、狭帯域のモノのインターネット（Ｎａｒｒｏｗ Ｂａｎｄ−Ｉｎｔｅｒｎｅｔ ｏｆ Ｔｈｉｎｇｓ；ＮＢ−ＩｏＴ）を支援する無線通信システムで定義されたＮＰＳＳシーケンス対Ｚａｄｏｆｆ−Ｃｈｕシーケンスのルートインデックス及びカバーコードのうちの１つ以上が異なるように適用されて生成される。また、新しいＮＳＳは、ＮＢ−ＩｏＴを支援する無線通信システムで定義されたＮＳＳＳシーケンス対Ｚａｄｏｆｆ−Ｃｈｕシーケンスに適用されたパラメータ、Ｚａｄｏｆｆ−Ｃｈｕシーケンスに適用されたバイナリシーケンス、及びシーケンスのリソースマッピング方法のうちの１つ以上が異なるように適用されて生成される。
【０３４８】
一例として、新しいＮＰＳＳにはＺａｄｏｆｆ−Ｃｈｕシーケンスのルートインデックスとして６が適用される。
【０３４９】
他の例として、新しいＮＰＳＳにはＺａｄｏｆｆ−Ｃｈｕシーケンスのカバーコードとして［１、１、−１、１、−１、−１、１、−１、１、−１、１］が適用される。
【０３５０】
一例として、新しいＮＳＳＳにはＺａｄｏｆｆ−Ｃｈｕシーケンスに適用されたパラメータである
2020516125.tif 000064
として｛３３／２６４、９９／２６４、１６５／２６４、２３１／２６４｝のうちの１つの値が適用される。
【０３５１】
他の例として、新しいＮＳＳＳにはＺａｄｏｆｆ−Ｃｈｕシーケンスに適用されたバイナリシーケンスとしてＮＢ−ＩｏＴシステムで定義されたＮＳＳＳに適用される１２８次のアダマール行列の１、３２、６４、１２８列の値の代わりに、１６、４８、８０、１１２列の値が適用されるバイナリシーケンスが適用される。
【０３５２】
さらに他の例として、新しいＮＳＳＳのシーケンスには時間優先のリソースマッピング（ｔｉｍｅ−ｆｉｒｓｔ ｒｅｓｏｕｒｃｅ ｍａｐｐｉｎｇ）方法が適用される。
【０３５３】
このように生成された新しいＮＰＳＳ及び新しいＮＳＳＳは以下のように受信される。
【０３５４】
一例として、新しいＮＰＳＳ及び新しいＮＳＳＳはアンカーキャリアにより受信される。この時、新しいＮＰＳＳはＮＰＳＳが送信されるサブフレームの次のサブフレームで受信され、新しいＮＳＳＳはＮＳＳＳと１０個のサブフレーム間隔をおいて受信される。
【０３５５】
他の例として、新しいＮＰＳＳ及び新しいＮＳＳＳはアンカーキャリアにより受信される。この時、新しいＮＰＳＳ及び新しいＮＳＳＳはＮＳＳＳと１０個のサブフレーム間隔をおいて交互に受信される。
【０３５６】
さらに他の例として、新しいＮＰＳＳ及び新しいＮＳＳＳは非アンカーキャリアにより受信される。この時、新しいＮＰＳＳは全ての無線フレームの１番目のサブフレームで受信され、新しいＮＳＳＳは奇数番目又は偶数番目の無線フレームのうちの１つ以上の無線フレームの５番目のサブフレームで受信される。
【０３５７】
さらに他の例として、新しいＮＰＳＳ及び新しいＮＳＳＳは非アンカーキャリアにより受信される。この時、新しいＮＰＳＳ及び新しいＮＳＳＳは各無線フレームの１番目のサブフレームで交互に受信される。
【０３５８】
本発明において、上記のような新しいＮＰＳＳ及び新しいＮＳＳＳはＮＲＳ（Ｎａｒｒｏｗｂａｎｄ Ｒｅｆｅｒｅｎｃｅ Ｓｉｇｎａｌ）を含まない。
【０３５９】
次いで、端末は新しいＮＰＳＳ及び新しいＮＳＳＳのうちの１つ以上が指示する情報に基づいて、セルサーチ、ページング送信及びシステム情報の更新有無に関する情報の獲得、又は無線通信システムに適用された複信モード情報の獲得のうちの１つ以上を行う（Ｓ２８２０）。
【０３６０】
一例として、端末は新しいＮＰＳＳ及び新しいＮＳＳＳを累積検出してセルサーチを行うことができる。
【０３６１】
他の例として、新しいＮＰＳＳ及び新しいＮＳＳＳがページング送信及びシステム情報の更新有無を指示するために使用される場合、新しいＮＰＳＳがＮ個連続するサブフレームで繰り返して送信された後、新しいＮＳＳＳがＭ個の連続するサブフレームで繰り返して送信され、Ｎ個のサブフレームで繰り返して送信される新しいＮＰＳＳはサブフレーム単位で異なるカバーコードが適用されて送信され、Ｍ個のサブフレームで繰り返して送信される新しいＮＳＳＳはサブフレーム単位で異なるカバーコード及び異なるリソースマッピング方法のうちの１つ以上が適用されて送信されることができる。この時、Ｎは０以上の整数であり、Ｍは自然数である。
【０３６２】
これにより、新しいＮＰＳＳ及び新しいＮＳＳＳがシステム情報が更新されたことを指示する場合、端末はシステム情報の更新を行うことができる。
【０３６３】
上記構成において、新しいＮＰＳＳ及び新しいＮＳＳＳが送信されるサブフレームの位置は、特定のサブフレーム位置（例:特定のサブフレームインデックスに対応するサブフレーム）に限定されず、任意の位置で送信されることができる。
【０３６４】
この時、新しいＮＰＳＳ及び新しいＮＳＳＳは1つ以上のサブフレームで繰り返して送信される。この時、各々の新しいＮＰＳＳ及び新しいＮＰＳＳＳについてはサブフレーム単位で（異なる）カバーコードが適用されるか、（異なる）リソースマッピング、ルートインデックス、ｔｈｅｔｈａ＿ｆなどが適用される。
【０３６５】
上述したように、ページング送信及びシステム情報の更新有無を指示する用途に新しいＮＰＳＳ／ＮＳＳＳが活用される場合は、新しいＮＰＳＳの送信無しに新しいＮＳＳＳのみが送信されることができる。
【０３６６】
さらに他の例として、端末は新しいＮＰＳＳに適用されたＺａｄｏｆｆ−Ｃｈｕシーケンスのルートインデックスに基づいて無線通信システムに適用された複信モードがＴＤＤ（Ｔｉｍｅ Ｄｉｖｉｓｉｏｎ Ｄｕｐｌｅｘ）モード又はＦＤＤ（Ｆｒｅｑｕｅｎｃｙ Ｄｉｖｉｓｉｏｎ Ｄｕｐｌｅｘ）モードであることを決定できる。
【０３６７】
上述した提案方式に対する一例も本発明の具現化方法の１つとして含まれてもよく、一種の提案方式と見なし得ることは明白な事実である。また、上述した提案方式は独立して具現化されてもよく、一部の提案方式の組合せ（又は、併合）の形態で具現化されてもよい。上記提案方法適用の有無に関する情報（又は、上記提案方法の規則に関する情報）は、基地局が端末に事前に定義されたシグナル（例えば、物理層シグナル又は上位層シグナル）で知らせるように規則が定義されてもよい。
【０３６８】
５．装置構成
【０３６９】
図２９は提案する実施例を具現化できる端末及び基地局の構成を示す図である。図２９に示した端末及び基地局は、上述した端末の動作方法及びそれに対応する基地局の動作方法の実施例を具現化するように動作する。
【０３７０】
端末（ＵＥ：Ｕｓｅｒ Ｅｑｕｉｐｍｅｎｔ）１は、上りリンクでは送信端として動作し、下りリンクでは受信端として動作することができる。また、基地局（ｅＮＢ：ｅ−Ｎｏｄｅ Ｂ）１００は、上りリンクでは受信端として動作し、下りリンクでは送信端として動作することができる。
【０３７１】
即ち、端末及び基地局は、情報、データ及び／又はメッセージの送信及び受信を制御するためにそれぞれ、送信器（Ｔｒａｎｓｍｉｔｔｅｒ）１０，１１０及び受信器（Ｒｅｃｅｉｖｅｒ）２０，１２０を含むことができ、情報、データ及び／又はメッセージを送受信するためのアンテナ３０，１３０などを含むことができる。
【０３７２】
また、端末及び基地局はそれぞれ、上述した本発明の実施例を行うためのプロセッサ（Ｐｒｏｃｅｓｓｏｒ）４０，１４０、及びプロセッサの処理過程を一時的に又は持続的に記憶できるメモリ５０，１５０を含むことができる。
【０３７３】
このように構成された端末１は、受信器２０で新しいＮＰＳＳ（Ｎａｒｒｏｗｂａｎｄ Ｐｒｉｍａｒｙ Ｓｙｎｃｈｒｏｎｉｚａｔｉｏｎ Ｓｉｇｎａｌ）及び新しいＮＳＳＳ（Ｎａｒｒｏｗｂａｎｄ Ｓｅｃｏｎｄａｒｙ Ｓｙｎｃｈｒｏｎｉｚａｔｉｏｎ Ｓｉｇｎａｌ）を受信する。次いで、端末１は、プロセッサ４０により新しいＮＰＳＳ及び新しいＮＳＳＳのうちのいずれか１以上が指示する情報に基づいて、セルサーチ、ページング送信及びシステム情報の更新有無に関する情報の獲得、又は無線通信システムに適用された複信モード（ｄｕｐｌｅｘ ｍｏｄｅ）情報の獲得のうちのいずれか１つ以上を行う。
【０３７４】
新しいＮＰＳＳは、狭帯域のモノのインターネット（Ｎａｒｒｏｗ Ｂａｎｄ−Ｉｎｔｅｒｎｅｔ ｏｆ Ｔｈｉｎｇｓ；ＮＢ−ＩｏＴ）を支援する無線通信システムで定義されたＮＰＳＳシーケンス対Ｚａｄｏｆｆ−Ｃｈｕシーケンスのルートインデックス及びカバーコードのうちのいずれか１つ以上が異なるように適用されて生成される。また、新しいＮＳＳは、ＮＢ−ＩｏＴを支援する無線通信システムで定義されたＮＳＳＳシーケンス対Ｚａｄｏｆｆ−Ｃｈｕシーケンスに適用されたパラメータ、Ｚａｄｏｆｆ−Ｃｈｕシーケンスに適用されたバイナリシーケンス及びシーケンスのリソースマッピング方法のうちのいずれか１つ以上が異なるように適用されて生成される。
【０３７５】
端末及び基地局に含まれた送信器及び受信器は、データ送信のためのパケット変復調機能、高速パケットチャネルコーディング機能、直交周波数分割多元接続（ＯＦＤＭＡ：Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ）パケットスケジューリング、時分割複信（ＴＤＤ：Ｔｉｍｅ Ｄｉｖｉｓｉｏｎ Ｄｕｐｌｅｘ）パケットスケジューリング及び／又はチャネル多重化機能を有することができる。また、図２９の端末及び基地局は、低電力ＲＦ（Ｒａｄｉｏ Ｆｒｅｑｕｅｎｃｙ）／ＩＦ（Ｉｎｔｅｒｍｅｄｉａｔｅ Ｆｒｅｑｕｅｎｃｙ）ユニットをさらに含むことができる。
【０３７６】
一方、本発明において端末として、個人携帯端末機（ＰＤＡ：Ｐｅｒｓｏｎａｌ Ｄｉｇｉｔａｌ Ａｓｓｉｓｔａｎｔ）、セルラーフォン、個人通信サービス（ＰＣＳ：Ｐｅｒｓｏｎａｌ Ｃｏｍｍｕｎｉｃａｔｉｏｎ Ｓｅｒｖｉｃｅ）フォン、ＧＳＭ（Ｇｌｏｂａｌ Ｓｙｓｔｅｍ ｆｏｒ Ｍｏｂｉｌｅ）フォン、ＷＣＤＭＡ（Ｗｉｄｅｂａｎｄ ＣＤＭＡ）フォン、ＭＢＳ（Ｍｏｂｉｌｅ Ｂｒｏａｄｂａｎｄ Ｓｙｓｔｅｍ）フォン、ハンドヘルドＰＣ（Ｈａｎｄ−Ｈｅｌｄ ＰＣ）、ノートＰＣ、スマート（Ｓｍａｒｔ）フォン、又はマルチモードマルチバンド（ＭＭ−ＭＢ：Ｍｕｌｔｉ Ｍｏｄｅ−Ｍｕｌｔｉ Ｂａｎｄ）端末機などを用いることができる。
【０３７７】
ここで、スマートフォンとは、移動通信端末機と個人携帯端末機の長所を混合した端末機であり、移動通信端末機に、個人携帯端末機の機能である日程管理、ファクシミリ送受信、及びインターネット接続などのデータ通信機能を統合した端末機を意味することができる。また、マルチモードマルチバンド端末機とは、マルチモデムチップを内蔵して携帯インターネットシステム及び他の移動通信システム（例えば、ＣＤＭＡ（Ｃｏｄｅ Ｄｉｖｉｓｉｏｎ Ｍｕｌｔｉｐｌｅ Ａｃｃｅｓｓ）２０００システム、ＷＣＤＭＡ（Ｗｉｄｅｂａｎｄ ＣＤＭＡ）システムなど）のいずれにおいても作動し得る端末機のことを指す。
【０３７８】
本発明の実施例は、様々な手段によって具現化することができる。例えば、本発明の実施例は、ハードウェア、ファームウェア（ｆｉｒｍｗａｒｅ）、ソフトウェア、又はそれらの結合などによって具現化することができる。
【０３７９】
ハードウェアによる具現化の場合、本発明の実施例による方法は、１つ又はそれ以上のＡＳＩＣ（ａｐｐｌｉｃａｔｉｏｎ ｓｐｅｃｉｆｉｃ ｉｎｔｅｇｒａｔｅｄ ｃｉｒｃｕｉｔ）、ＤＳＰ（ｄｉｇｉｔａｌ ｓｉｇｎａｌ ｐｒｏｃｅｓｓｏｒ）、ＤＳＰＤ（ｄｉｇｉｔａｌ ｓｉｇｎａｌ ｐｒｏｃｅｓｓｉｎｇ ｄｅｖｉｃｅ）、ＰＬＤ（ｐｒｏｇｒａｍｍａｂｌｅ ｌｏｇｉｃ ｄｅｖｉｃｅ）、ＦＰＧＡ（ｆｉｅｌｄ ｐｒｏｇｒａｍｍａｂｌｅ ｇａｔｅ ａｒｒａｙ）、プロセッサ、コントローラ、マイクロコントローラ、マイクロプロセッサなどによって具現化することができる。
【０３８０】
ファームウェアやソフトウェアによる具現化の場合、本発明の実施例による方法は、以上で説明した機能又は動作を行うモジュール、手順又は関数などの形態として具現化することができる。例えば、ソフトウェアコードは、メモリ５０，１５０に格納し、プロセッサ１４，１４０によって駆動することができる。上記メモリユニットは上記プロセッサの内部又は外部に設けられて、既に公知である様々な手段によって上記プロセッサとデータをやり取りすることができる。
【０３８１】
本発明は、本発明の技術的アイディア及び必須特徴から逸脱しない範囲で他の特定の形態として具体化することができる。したがって、上記の詳細な説明はいずれの面においても制限的に解釈されてはならず、例示的なものとして考慮しなければならない。本発明の範囲は、添付する請求項の合理的解釈によって決定しなければならず、本発明の等価的範囲内における変更はいずれも本発明の範囲に含まれる。また、特許請求の範囲で明示的な引用関係にない請求項を結合して実施例を構成してもよく、出願後の補正によって新しい請求項として含めてもよい。
【産業上の利用可能性】
【０３８２】
本発明の実施例は、様々な無線アクセスシステムに適用することができる。様々な無線アクセスシステムの一例として３ＧＰＰ（３ｒｄ Ｇｅｎｅｒａｔｉｏｎ Ｐａｒｔｎｅｒｓｈｉｐ Ｐｒｏｊｅｃｔ）又は３ＧＰＰ２システムなどがある。本発明の実施例は、上記様々な無線アクセスシステムの他、上記様々な無線アクセスシステムを応用した全ての技術分野にも適用することができる。さらに、提案した方法は、超高周波帯域を利用するｍｍＷａｖｅ通信システムにも適用することができる。
【図１】
2020516125.tif 000066
【図２】
2020516125.tif 000067
【図３】
2020516125.tif 000068
【図４】
2020516125.tif 000069
【図５】
2020516125.tif 000070
【図６】
2020516125.tif 000071
【図７】
2020516125.tif 000072
【図８】
2020516125.tif 000073
【図９】
2020516125.tif 000074
【図１０】
2020516125.tif 000075
【図１１】
2020516125.tif 000076
【図１２】
2020516125.tif 000077
【図１３】
2020516125.tif 000078
【図１４】
2020516125.tif 000079
【図１５】
2020516125.tif 000080
【図１６】
2020516125.tif 000081
【図１７】
2020516125.tif 000082
【図１８】
2020516125.tif 000083
【図１９】
2020516125.tif 000084
【図２０】
2020516125.tif 000085
【図２１】
2020516125.tif 000086
【図２２】
2020516125.tif 000087
【図２３】
2020516125.tif 000088
【図２４】
2020516125.tif 000089
【図２５】
2020516125.tif 000090
【図２６】
2020516125.tif 000091
【図２７】
2020516125.tif 000092
【図２８】
2020516125.tif 000093
【図２９】
2020516125.tif 000094
【国際調査報告】
2020516125.tif 000095
2020516125.tif 000096
2020516125.tif 000097
2020516125.tif 000098